(57)【要約】【課題】信号送受信装置および信号送受信方法の提供【解決手段】本発明の実施例によれば、信号送信方法は、ＵＨＤビデオデータをエンコードするステップと、エンコードしたＵＨＤビデオデータに基づくＵＨＤ放送サービスをシグナリングするシグナリング情報をエンコードするステップと、エンコードしたビデオデータおよびシグナリング情報を多重化し、多重化したデータを送信するステップとを有し、シグナリング情報は、クリアカム（clear QAM）ＵＨＤサービスに関する識別情報を有する。【選択図】図１
2016513437.tif 000002
【特許請求の範囲】
【請求項１】
超高解像度（ＵＨＤ）ビデオデータをエンコードするステップと、
前記エンコードしたＵＨＤビデオデータに基づくＵＨＤ放送サービスをシグナリングするシグナリング情報をエンコードするステップと、
前記エンコードしたビデオデータおよび前記シグナリング情報を多重化し、該多重化したデータを送信するステップと、を有し、
前記シグナリング情報は、クリアカム（ＱＡＭ）ＵＨＤサービスに関する識別情報を有する、信号送信方法。
【請求項２】
前記クリアカムＵＨＤサービスに関する情報は、ケーブル仮想チャネルテーブル（ＣＶＣＴ）内の高度テレビジョンシステムズ委員会（ＡＴＳＣ）ｐｒｉｖａｔｅ ｉｎｆｏｒｍａｔｉｏｎ ｄｅｓｃｒｉｐｔｏｒに有される、請求項１に記載の信号送信方法。
【請求項３】
前記クリアカムＵＨＤサービスに関する情報は、地上仮想チャネルテーブル（ＴＶＣＴ）に有される、請求項１に記載の信号送信方法。
【請求項４】
前記シグナリング情報は、ＵＨＤサービスに関する情報および自動チャネル切替のための追加情報を有するダイレクトチャネル切替テーブル（ＤＣＣＴ）を有し、
前記ＵＨＤサービスは、前記ＤＣＣＴで予め設定された条件を満たすと、自動的にＵＨＤチャネルに接続されて提供される、請求項１に記載の信号送信方法。
【請求項５】
多重化された放送信号に有される超高解像度（ＵＨＤ）ビデオデータ、および前記ＵＨＤビデオデータに基づくＵＨＤ放送サービスをシグナリングするシグナリング情報を受信するステップと、
前記ＵＨＤビデオデータおよび前記シグナリング情報をそれぞれ逆多重化するステップと、
前記逆多重化したシグナリング情報をデコードするステップと、
前記デコードしたシグナリング情報に基づいて、前記逆多重化したＵＨＤビデオデータをデコードするステップと、を有し、
前記シグナリング情報は、クリアカム（ＱＡＭ）ＵＨＤサービスに関する識別情報を有する、信号受信方法。
【請求項６】
前記クリアカムＵＨＤサービスに関する情報は、ケーブル仮想チャネルテーブル（ＣＶＣＴ）内の高度テレビジョンシステムズ委員会（ＡＴＳＣ）ｐｒｉｖａｔｅ ｉｎｆｏｒｍａｔｉｏｎ ｄｅｓｃｒｉｐｔｏｒに有される、請求項５に記載の信号受信方法。
【請求項７】
前記クリアカムＵＨＤサービスに関する情報は、地上仮想チャネルテーブル（ＴＶＣＴ）に有される、請求項５に記載の信号受信方法。
【請求項８】
前記シグナリング情報は、ＵＨＤサービスに関する情報および自動チャネル切替のための追加情報を有するダイレクトチャネル切替テーブル（ＤＣＣＴ）を有し、
前記ＵＨＤサービスは、前記ＤＣＣＴで予め設定された条件を満たすと、自動的にＵＨＤチャネルに接続されて提供される、請求項５に記載の信号受信方法。
【請求項９】
超高解像度（ＵＨＤ）ビデオデータをエンコードするビデオエンコーダと、
前記エンコードしたＵＨＤビデオデータに基づくＵＨＤ放送サービスをシグナリングするシグナリング情報をエンコードするシグナリング情報符号化部と、
前記エンコードしたビデオデータおよび前記シグナリング情報を多重化する多重化部と、
前記多重化したデータを送信する通信部と、を備え、
前記シグナリング情報は、クリアカム（ＱＡＭ）ＵＨＤサービスに関する識別情報を有する、信号送信装置。
【請求項１０】
前記クリアカムＵＨＤサービスに関する情報は、ケーブル仮想チャネルテーブル（ＣＶＣＴ）内の高度テレビジョンシステムズ委員会（ＡＴＳＣ）ｐｒｉｖａｔｅ ｉｎｆｏｒｍａｔｉｏｎ ｄｅｓｃｒｉｐｔｏｒに有される、請求項９に記載の信号送信装置。
【請求項１１】
前記クリアカムＵＨＤサービスに関する情報は、地上仮想チャネルテーブル（ＴＶＣＴ）に有される、請求項９に記載の信号送信装置。
【請求項１２】
前記シグナリング情報は、ＵＨＤサービスに関する情報および自動チャネル切替のための追加情報を有するダイレクトチャネル切替テーブル（ＤＣＣＴ）を有し、
前記ＵＨＤサービスは、前記ＤＣＣＴで予め設定された条件を満たすと、自動的にＵＨＤチャネルに接続されて提供される、請求項９に記載の信号送信装置。
【請求項１３】
多重化された放送信号に有される超高解像度（ＵＨＤ）ビデオデータ、および前記ＵＨＤビデオデータに基づくＵＨＤ放送サービスをシグナリングするシグナリング情報を受信する通信部と、
前記ＵＨＤビデオデータおよび前記シグナリング情報をそれぞれ逆多重化する逆多重化部と、
前記逆多重化したシグナリング情報をデコードするシグナリング情報復号部と、
前記デコードしたシグナリング情報に基づいて、逆多重化したＵＨＤビデオデータをデコードするビデオデコーダと、を備え、
前記シグナリング情報は、クリアカム（ＱＡＭ）ＵＨＤサービスに関する識別情報を有する、信号受信装置。
【請求項１４】
前記クリアカムＵＨＤサービスに関する情報は、ケーブル仮想チャネルテーブル（ＣＶＣＴ）内の高度テレビジョンシステムズ委員会（ＡＴＳＣ）ｐｒｉｖａｔｅ ｉｎｆｏｒｍａｔｉｏｎ ｄｅｓｃｒｉｐｔｏｒに有される、請求項１３に記載の信号受信装置。
【請求項１５】
前記クリアカムＵＨＤサービスに関する情報は、地上仮想チャネルテーブル（ＴＶＣＴ）に有される、請求項１３に記載の信号受信装置。
【発明の詳細な説明】
【技術分野】
【０００１】
本発明は、信号送受信装置および信号送受信方法に関する。
【背景技術】
【０００２】
クリアカム（Clear QAM）とは、非暗号化（暗号化されていない）（unencrypted）ケーブルチャネルを用いた放送サービスのことをいう。クリアカムを利用すると、既存の（existing）ケーブル放送サービス加入者だけでなく、デジタルケーブル放送受信チップが内蔵されたＤＴＶのユーザも、非暗号化チャネルの放送を視聴することができる。クリアカムを導入すると、高画質コンテンツの流通経路が多様化することによってコンテンツを多様化することができる。また、広い帯域幅に基づいて高品質の超高解像度（超高精細）（Ultra High Definition：ＵＨＤ）放送サービスが可能である。
【０００３】
しかしながら、様々な解像度を有するビデオサービスが全てクリアカムでサポート（支援）される（supported）わけではない。したがって、様々な解像度を有するビデオサービスを支援できるクリアカムに関連する技術が必要である。
【発明の概要】
【発明が解決しようとする課題】
【０００４】
本発明の目的は、クリアカムサービスを用いて既存のケーブル網に基づいて高品質４Ｋコンテンツを提供することができる信号送受信方法および信号送受信装置を提供することにある。
【０００５】
本発明の他の目的は、既存のＨＤもしくはＳＤチャネル（チャンネル）（channel）とＵＨＤチャネル（チャンネル）（channel）とが重複する場合、ＵＨＤ受信器にＵＨＤ放送を提供するために、チャネルを連動させることができる信号送受信方法および信号送受信装置を提供することにある。
【課題を解決するための手段】
【０００６】
本発明の一実施例によれば、信号送信方法は、超高解像度（超高精細）（Ultra High Definition；ＵＨＤ）ビデオデータをエンコード（符号化）（encode）するステップと、エンコードしたＵＨＤビデオデータに基づくＵＨＤ放送サービスをシグナリングするシグナリング情報をエンコードするステップと、エンコードしたビデオデータおよびシグナリング情報を多重化し、該多重化したデータを送信するステップと、を有し、シグナリング情報は、クリア（clear）カム（直交振幅変調（Quadrature Amplitude Modulation；ＱＡＭ））ＵＨＤサービスに関する識別情報を有する。
【０００７】
また、クリアカムＵＨＤサービスに関する情報は、ケーブル仮想チャネルテーブル（Cable Virtual Channel Table；ＣＶＣＴ）内の高度テレビジョンシステムズ委員会（Advanced Television Systems Committee；ＡＴＳＣ）ｐｒｉｖａｔｅ ｉｎｆｏｒｍａｔｉｏｎ ｄｅｓｃｒｉｐｔｏｒ（個人情報ディスクリプタ）に有されてもよい。
【０００８】
また、クリアカムＵＨＤサービスに関する情報は、地上仮想チャネルテーブル（Terrestrial Virtual Channel Table；ＴＶＣＴ）に有されてもよい。
【０００９】
一方、シグナリング情報は、ＵＨＤサービスに関する情報および自動チャネル切替のための追加情報を有するダイレクト（直接）チャネル切替テーブル（Direct Channel Change Table；ＤＣＣＴ）を有し、ＵＨＤサービスは、ＤＣＣＴで予め設定された条件を満たすと、自動的にＵＨＤチャネルに接続されて（を介して）（via a UHD channel）提供されてもよい。
【００１０】
本発明の他の実施例によれば、信号受信方法は、多重化された放送信号に有される超高解像度（超高精細）（Ultra High Definition；ＵＨＤ）ビデオデータおよび該ＵＨＤビデオデータに基づくＵＨＤ放送サービスをシグナリングするシグナリング情報を受信するステップと、ＵＨＤビデオデータおよびシグナリング情報をそれぞれ逆多重化するステップと、逆多重化したシグナリング情報をデコード（復号）（decode）するステップと、デコードしたシグナリング情報に基づいて、逆多重化したＵＨＤビデオデータをデコードするステップと、を有し、シグナリング情報は、クリア（clear）カム（直交振幅変調（Quadrature Amplitude Modulation；ＱＡＭ））ＵＨＤサービスに関する識別情報を有する。
【００１１】
また、クリアカムＵＨＤサービスに関する情報は、ケーブル仮想チャネルテーブル（Cable Virtual Channel Table；ＣＶＣＴ）内の高度テレビジョンシステムズ委員会（Advanced Television Systems Committee；ＡＴＳＣ）ｐｒｉｖａｔｅ ｉｎｆｏｒｍａｔｉｏｎ ｄｅｓｃｒｉｐｔｏｒ（個人情報ディスクリプタ）に有されてもよい。
【００１２】
また、クリアカムＵＨＤサービスに関する情報は、地上仮想チャネルテーブル（Terrestrial Virtual Channel Table；ＴＶＣＴ）に有されてもよい。
【００１３】
一方、シグナリング情報は、ＵＨＤサービスに関する情報および自動チャネル切替のための追加情報を有するダイレクト（直接）チャネル切替テーブル（Direct Channel Change Table；ＤＣＣＴ）を有し、ＵＨＤサービスは、ＤＣＣＴで予め設定された条件を満たすと、自動的にＵＨＤチャネルに接続されて（を介して）（via a UHD channel）提供されてもよい。
【発明の効果】
【００１４】
本発明の実施例によれば、クリアカムサービスを用いて既存のケーブル網に基づいて高品質４Ｋコンテンツを提供することができる。
【００１５】
本発明の実施例によれば、既存のＨＤもしくはＳＤチャネルとＵＨＤチャネルとが重複する場合、ＵＨＤ受信器にＵＨＤ放送を提供するためにチャネルを連動させることができる。
【図面の簡単な説明】
【００１６】
【図１】本発明の一実施例に係る信号送信方法を示すフローチャートである。
【図２】本発明の一実施例に係るＵＨＤ放送サービス提供処理（過程）（process）を説明する図である。
【図３】本発明の一実施例に係るシグナリング情報を例示する図である。
【図４】本発明の一実施例に係る、クリアカムを用いてＵＨＤサービスを提供するためにシグナリング情報をシグナリングする方法を例示する図である。
【図５】本発明の一実施例に係る、クリアカムを用いてＵＨＤサービスを提供するためのシグナリング情報を説明する図である。
【図６】本発明の一実施例に係るコーデック情報をシグナリングする例を説明する図である。
【図７】本発明の一実施例に係る、ＵＨＤサービスを提供するための具体的なシグナリング情報を説明する図である。
【図８】本発明の一実施例に係る、ＵＨＤチャネルを提供するためのシグナリング情報を説明する図である。
【図９】本発明の他の実施例に係る、クリアカムを用いてＵＨＤサービスを提供するためのシグナリング情報を説明する図である。
【図１０】本発明のサービスによるディスクリプタ情報の実施例を説明する図である。
【図１１】本発明の一実施例に係る重複チャネルシグナリング情報を例示する図である。
【図１２】本発明の他の実施例に係る、ＵＨＤサービスを提供するためのシグナリング情報を説明する図である。
【図１３】本発明の他の実施例に係る、ＵＨＤサービスを提供するための他のシグナリング情報を説明する図である。
【図１４】本発明の他の実施例に係る重複チャネルシグナリング情報を例示する図である。
【図１５】本発明の他の実施例に係る、ＵＨＤチャネルに移動するための一つのシグナリング情報を例示する図である。
【図１６】本発明の他の実施例に係る、ＵＨＤチャネルに移動するための具体的なシグナリング情報を例示する図である。
【図１７】本発明の他の実施例に係る、ＵＨＤチャネルに移動するための追加情報をシグナリングする例を説明する図である。
【図１８】本発明の一実施例に係る信号受信装置を説明する図である。
【図１９】本発明の一実施例に係る信号受信方法を示すフローチャートである。
【図２０】本発明の一実施例に係る信号送信装置を示すブロック図である。
【図２１】本発明の一実施例に係る信号受信装置を示すブロック図である。
【発明を実施するための形態】
【００１７】
以下、本発明を容易に説明できる実施例を、図面を参照して説明する。
【００１８】
図１は、本発明の一実施例に係る信号送信方法を示すフローチャートである。
【００１９】
信号送信装置は、ＵＨＤ（Ultra High Definition）ビデオデータをエンコード（符号化）（encode）することができる（Ｓ１１０）。例えば、ＵＨＤビデオデータは、４Ｋ、８Ｋ、１６Ｋなどの解像度を有することができる。
【００２０】
信号送信装置は、エンコードされたＵＨＤビデオデータに基づくＵＨＤ放送サービスをシグナリングするシグナリング情報をエンコードすることができる（Ｓ１２０）。ＵＨＤビデオサービスをシグナリングする例および具体的なシグナリング情報については後述する。
【００２１】
信号送信装置は、エンコードされたビデオデータおよびシグナリング情報を多重化し、該多重化されたデータを伝送（送信）する（transmit）ことができる（Ｓ１３０）。シグナリング情報は、クリアカム（clear QAM）ＵＨＤサービスに関する識別情報を含むことができる。そして、クリアカムＵＨＤサービスに関する情報は、ＣＶＣＴ（Cable Virtual Channel Table）およびＴＶＣＴ（Terrestrial Virtual Channel Table）の少なくとも一つに含まれてもよい。
【００２２】
以下、ＵＨＤビデオサービスを識別できる実施例、およびそのビデオシグナリング情報を送信する実施例を詳しく説明する。
【００２３】
図２は、本発明の一実施例に係るＵＨＤ放送サービス提供処理を説明する図である。
【００２４】
コンテンツプロバイダ１００は、ＵＨＤビデオをコンテンツとして生成することができる。例えば、４Ｋ ＵＨＤビデオを撮るカメラなどを用いて、ＵＨＤ放送サービスを提供するＵＨＤビデオ（Ａ）を生成することができる。
【００２５】
伝送部２００は、ビデオエンコーダ２１０、多重化部２２０、およびチャネルコーディングおよび変調部２３０を含むことができる。
【００２６】
ビデオエンコーダ２１０は、超高解像度（ＵＨＤ）ビデオを圧縮してエンコードすることができる。例えば、４Ｋ ＵＨＤビデオをエンコードするためにＨＥＶＣなどのコーディング方式を用いることができる。
【００２７】
多重化部２２０は、エンコードされたＵＨＤビデオのストリーム、オーディオストリームなどの他のストリーム、および以下に開示するシグナリング情報を多重化してトランスポート（伝送）（transport）ストリームを出力することができる。
【００２８】
チャネルコーディングおよび変調部２３０は、トランスポートストリームをチャネルコーディングして多重化し、放送信号として伝送することができる。
【００２９】
受信部３００は、復調部３１０、逆多重化部３２０、およびビデオデコーダ３３０を含むことができる。
【００３０】
復調部３１０は、受信した放送信号を復調してトランスポートストリームを出力することができる。
【００３１】
逆多重化部３２０は、トランスポートストリームを逆多重化し、ビデオストリーム、オーディオストリーム、および以下に開示するシグナリング情報を出力することができる。
【００３２】
ビデオデコーダ３３０は、超高解像度（ＵＨＤ）ビデオをデコード（復号）（decode）することができる。例えば、４Ｋ ＵＨＤビデオ（Ｂ）をデコードして４Ｋ ＵＨＤビデオプロセシング（処理）（processing）を行うことができる。例えば、受信器は、デコードしたビデオへの画質処理、フレームレート変換（frame rate conversion）などの、ディスプレイのためのビデオプロセシングを行うことができる。
【００３３】
以下、このようなシステムにおいて、チャネルもしくはサービスが、ＵＨＤ放送サービスが行われる場合にこれに関連した情報を伝達（搬送）する（deliver）実施例を開示する。本発明の実施例によれば、４Ｋ解像度のビデオの、例えば、ビデオコーディングのプロファイル情報などのＵＨＤビデオ要素に関する詳細情報を伝達することができる。そして、ＨＤビデオの既存のサービスもしくはイベントと連動する４Ｋ ＵＨＤサービスもしくはイベントに関する情報を伝達することができる。そして、ＵＨＤビデオを伝送するチャネルと連動するチャネルのチャネル番号の他、当該チャネルの物理特性も伝達することができる。
【００３４】
信号送信装置は、当該チャネルの暗号化と映像解像度による同一放送送出（送信）（transmission）の有無となどを知らせるためのシグナリング情報をシグナリングすることができる。このとき、シグナリング情報は、現在もしくは後で放送されるイベントが４Ｋ ＵＨＤビデオ信号を含むという情報を含むことができる。また、信号送信装置は、ＳＤやＨＤなどの既存のサービスもしくはイベントと連動する４Ｋ ＵＨＤサービス／イベントに関する情報を伝達することができる。
【００３５】
例えば、ＰＳＩＰセクションに含まれるＴＶＣＴ（Terrestrial Virtual Channel Table）およびＣＶＣＴ（Cable Virtual Channel Table）の少なくとも一つにおいてｓｅｒｖｉｃｅ＿ｔｙｐｅフィールドを用いて、当該チャネルで４Ｋ ＵＨＤ放送サービスが行われるという情報をシグナリングすることができる。４Ｋ ＵＨＤの詳細情報もしくは重複チャネルの有無に関する情報は、別のディスクリプタ（デスクリプタ）（descriptor）を用いてシグナリングすることができる。ここで、詳細情報は、コーデック情報、非暗号化チャネルの有無、重複チャネル確認のための解像度構成情報、ＵＨＤビデオ情報、ＵＨＤチャネルリンク情報などを含む。
【００３６】
図３は、本発明の一実施例に係るシグナリング情報を例示する図である。同図は、ＰＳＩＰを例示する。ＰＳＩＰに含まれる情報を説明すると、次のとおりである。
【００３７】
ｔａｂｌｅ＿ｉｄフィールドはテーブルを識別する。（The value of this 8-bit field shall identify the PSIP Table to which this section belongs.）例えば、ｔａｂｌｅ＿ｉｄフィールドが０ｘＣ８であれば、ＴＶＣＴ（Terrestrial Virtual Channel Table）を意味し、ＰＳＩＰ＿ｔａｂｌｅ＿ｄａｔａ位置に関連するディスクリプタが含まれる。ｔａｂｌｅ＿ｉｄフィールドが０ｘＣ９であれば、ＣＶＣＴ（Cable Virtual Channel Table）を意味し、ＰＳＩＰ＿ｔａｂｌｅ＿ｄａｔａ位置に関連するディスクリプタが含まれる。
【００３８】
ｓｅｃｔｉｏｎ＿ｓｙｎｔａｘ＿ｉｎｄｉｃａｔｏｒフィールドは、ＭＰＥＧ−２ ｐｒｉｖａｔｅ＿ｓｅｃｔｉｏｎテーブルの“ｌｏｎｇ”形態を示すために１にセットされる１ビットフィールドである。（This 1-bit field shall be set to '1' to always indicate the "long" form of the MPEG-2 private_section table.）
【００３９】
ｐｒｉｖａｔｅ＿ｉｎｄｉｃａｔｏｒフィールドは、１にセットされる１ビットフィールドである。（This 1-bit field shall be set to '1'.）
【００４０】
ｓｅｃｔｉｏｎ＿ｌｅｎｇｔｈフィールドは、このフィールドに続くテーブルセクションの長さをバイト数で示す。（This is a 12-bit field, the first two bits of which shall be "00". It specifies the number of bytes of the section, starting immediately following the section_length field and including the CRC. The section_length shall not exceed 1021 so that the entire section has a maximum length of 1024 bytes.）
【００４１】
ｔａｂｌｅ＿ｉｄ＿ｅｘｔｅｎｓｉｏｎフィールドは１６ビットフィールドであり、テーブルに従属的である（依存する）。（This is a 16-bit field and is table-dependent. It shall be considered to be logically part of the table_id field providing the scope for the remaining fields.）
【００４２】
ｖｅｒｓｉｏｎ＿ｎｕｍｂｅｒフィールドは、テーブルのバージョン番号を示す５ビットフィールドである。（This 5-bit field is the version number of the PSIP_section. The version_number shall be incremented by 1 modulo 32 when a change in the information carried within the PSIP_section occurs. When the current_next_indicator is set to '0', then the version_number shall be that of the next applicable PSIP_section with the same table_id, table_id_extension, and section_number.）
【００４３】
ｃｕｒｒｅｎｔ＿ｎｅｘｔ＿ｉｎｄｉｃａｔｏｒフィールドは１ビットフィールドであり、このテーブルが現在適用可能かもしくは次に適用可能かを示す。（A 1-bit field, which when set to '1' indicates that the PSIP_section sent is currently applicable. When the current_next_indicator is set to '1', then the version_number shall be that of the currently applicable PSIP_section. When the bit is set to '0', it indicates that the PSIP_section sent is not yet applicable and shall be the next PSIP_section with the same section_number, table_id_extension, and table_id to become valid.）
【００４４】
ｓｅｃｔｉｏｎ＿ｎｕｍｂｅｒフィールドは、セクションの番号を示す。（This 8-bit field gives the number of the PSIP_section. The section_number of the first section in a PSIP table shall be 0x00. The section_number shall be incremented by 1 with each additional section in PSIP table. The scope of the section_number shall be defined by the table_id and table_id_extension. That is, for each PSIP table and value of the table_id_extension field, there is the potential for the full range of section_number values.）
【００４５】
ｌａｓｔ＿ｓｅｃｔｉｏｎ＿ｎｕｍｂｅｒフィールドは、最後のセクションの番号を特定する。（This 8-bit field specifies the number of the last section (that is, the section with the highest section_number) of the PSIP table of which this section is a part. Its scope is the same as for the section_number field.）
【００４６】
ｐｒｏｔｏｃｏｌ＿ｖｅｒｓｉｏｎフィールドは、現在のプロトコルで定義されているパラメータと異なるパラメータを、現在のテーブルタイプが後で持つことができるようにするための機能を有するフィールドである。（An 8-bit unsigned integer field whose function is to allow, in the future, this table type to carry parameters that may be structured differently than those defined in the current protocol. At present, the only valid value for protocol_version is zero. Non-zero values of protocol_version may be used by a future version of this standard to indicate structurally different tables.）
【００４７】
ＣＲＣ＿３２は、ＣＲＣ値を含む３２ビットフィールドである。（This is a 32-bit field that contains the CRC value that gives a zero output of the registers in the decoder.）
【００４８】
クリアカムを用いてＵＨＤサービスを提供するために、信号送信装置は、ＣＶＣＴおよびＴＶＣＴのうち少なくとも一つのテーブルを用いてＵＨＤサービスに関する識別情報をシグナリングする。一実施例として、ＣＶＣＴ内にＡＴＳＣ ｐｒｉｖａｔｅ ｉｎｆｏｒｍａｔｉｏｎ ｄｅｓｃｒｉｐｔｏｒが含まれている場合、ＡＴＳＣ ｐｒｉｖａｔｅ ｉｎｆｏｒｍａｔｉｏｎ ｄｅｓｃｒｉｐｔｏｒを用いて、ＵＨＤサービスに関する識別情報をシグナリングすることができる。ＣＶＣＴ内にＡＴＳＣ ｐｒｉｖａｔｅ ｉｎｆｏｒｍａｔｉｏｎ ｄｅｓｃｒｉｐｔｏｒが含まれていない場合、ＴＶＣＴ内でＵＨＤチャネル情報をシグナリングすることができ、ＣＶＣＴもしくはＴＶＣＴに含まれるフィールドを用いて、当該チャネルで４Ｋ ＵＨＤサービスが行われるという情報をシグナリングすることができる。信号送信装置は、ＣＶＣＴおよびＴＶＣＴ内に含まれたディスクリプタを用いて４Ｋ ＵＨＤサービスに対する詳細情報をシグナリングすることができる。ＣＶＣＴそのものが含まれていない場合、信号受信装置は、当該サービスをＶＯＤサービスと見なし、受信しなくてもよい。
【００４９】
図４は、本発明の一実施例に係る、クリアカムを用いてＵＨＤサービスを提供するためにシグナリング情報をシグナリングする方法を例示する図である。図４では、ＣＶＣＴ内にＡＴＳＣ ｐｒｉｖａｔｅ ｉｎｆｏｒｍａｔｉｏｎ ｄｅｓｃｒｉｐｔｏｒが含まれる場合におけるシグナリング方法を例示している。
【００５０】
ｔａｂｌｅ＿ｉｄフィールドはテーブルを識別する。図３で説明したとおり、図４に示すテーブルはＣＶＣＴであるので、ｔａｂｌｅ＿ｉｄの値は０ｘ０９である。ｓｅｃｔｉｏｎ＿ｓｙｎｔａｘ＿ｉｎｄｉｃａｔｏｒフィールド、ｐｒｉｖａｔｅ＿ｉｎｄｉｃａｔｏｒフィールド、ｓｅｃｔｉｏｎ＿ｌｅｎｇｔｈフィールド、ｖｅｒｓｉｏｎ＿ｎｕｍｂｅｒフィールド、ｃｕｒｒｅｎｔ＿ｎｅｘｔ＿ｉｎｄｉｃａｔｏｒフィールド、ｓｅｃｔｉｏｎ＿ｎｕｍｂｅｒフィールド、ｌａｓｔ＿ｓｅｃｔｉｏｎ＿ｎｕｍｂｅｒフィールド、ｐｒｏｔｏｃｏｌ＿ｖｅｒｓｉｏｎフィールドについては図３で説明したので、ここでは説明を省略する。
【００５１】
ｔｒａｎｓｐｏｒｔ＿ｓｔｒｅａｍ＿ｉｄフィールドは、テーブル内にあるＭＰＥＧ−２トランスポートストリーム（Transport Stream：ＴＳ）の識別子を示す。(To distinguish each transport stream within a single network (terrestrial, cable or satellite) from another, MPEG-2 established the use of a 16-bit (ranging from 0 to 65535) transport_stream_identifier, which is also called a TSID.)
【００５２】
ｎｕｍ＿ｃｈａｎｎｅｌｓ＿ｉｎ＿ｓｅｃｔｉｏｎフィールドは、仮想チャネル解像度の数を示す。(The num_channels_in_section field in ATSC Cable Virtual Channel table CVCT table sections is an eight-bit field that indicates the number of virtual channel definitions to follow in the table section.)
【００５３】
ｓｈｏｒｔ＿ｎａｍｅフィールドは、仮想チャネルのためのショートネーム（short name）を示す１１２ビットフィールドである。(The short_name field is a 112-bit field in ATSC CVCT table sections that gives the short_name for the virtual channel. Each letter of the short_name is formatted as a 16-bit Unicode character, with the high order byte transmitted first. So, short_name for TVCT and CVCT entries is seven Unicode characters, which short_name for SVCT entries is eight Unicode characters. If the display name is less than the number of permitted characters, 0/0x00 is appended to the end until the allotted number of bits has been reached.)
【００５４】
ＡＴＳＣチャネル番号（数字）（number）は、２つのパート（２部）（two parts）のチャネル番号で表示される。
【００５５】
ｍａｊｏｒ＿ｃｈａｎｎｅｌ＿ｎｕｍｂｅｒフィールドは、仮想チャネルと関連したメジャーチャネル（チャンネル）の番号（数）（number of major channel）を示す。(A 10-bit number that represents the “major” channel number associated with the virtual channel being defined in this iteration of the “for” loop. Each virtual channel shall be associated with a major and a minor channel number. The major channel number, along with the minor channel number, act as the user’s reference number for the virtual channel. The major_channel_number shall be between 1 and 99. The value of major_channel_number shall be set such that in no case is a major_channel_number/ minor_channel_number pair duplicated within the CVCT.)
【００５６】
ｍｉｎｏｒ＿ｃｈａｎｎｅｌ＿ｎｕｍｂｅｒフィールドは、仮想チャネルと関連したマイナーチャネル（チャンネル）（サブチャネル）の番号（number of minor channel）を示す。(A 10-bit number in the range 0 to 999 that represents the “minor” or “sub”- channel number. This field, together with major_channel_number, performs as a two-part channel number, where minor_channel_number represents the second or right-hand part of the number. When the service_type is analog television, minor_channel_number shall be set to 0.)
【００５７】
ｍｏｄｕｌａｔｉｏｎ ｍｏｄｅフィールドは、仮想チャネルのトランスポートキャリアに対する変調方式を示す。(The modulation_mode is an eight-bit field in a virtual channel entry tells receivers the modulation used to transmit individual channels.)
【００５８】
ｃａｒｒｉｅｒ＿ｆｒｅｑｕｅｎｃｙフィールドは、トランスポート仮想チャネルで用いられるキャリア周波数情報を伝送する。(The carrier frequency is a 32-bit field that transmits the carrier frequency used by the transport carrying the virtual channel.)
【００５９】
ｃｈａｎｎｅｌ＿ＴＳＩＤフィールドは、仮想チャネルと関連したＭＰＥＧ−２プログラムを送信するトランスポートストリーム（Transport Stream：ＴＳ）に対するＭＰＥＧ−２ Ｔｒａｎｓｐｏｒｔ Ｓｔｒｅａｍ ＩＤを示す。(The channel_TSID is a 16-bit unsigned integer field that gives the transport_stream_id of the channel that carries (or for inactive channels, will carry) the virtual channel.)
【００６０】
ｐｒｏｇｒａｍ＿ｎｕｍｂｅｒフィールドは、ＴＳ内の各プログラムサービスもしくは仮想チャネルを識別する。(The program_number is a 16-bit unsigned integer that uniquely identifies each program service (or virtual channel) present in a transport stream.)
【００６１】
ＥＴＭ＿ｌｏｃａｔｉｏｎフィールドは、チャネル、イベントもしくはデータイベントのための拡張されたテキストメッセージが存在するか否かを示す。(The ETM_location field denotes whether there is an extended text message for the channel (Channel Extended Text table or CETT), event (Event Extended Text table) or data event (Data Extended Text table).)
【００６２】
ａｃｃｅｓｓ＿ｃｏｎｔｒｏｌｌｅｄフィールドは、当該仮想チャネルと関連したイベントが制御され得るか否かを示す。(When access_controlled is set to '1', this means that events associated with this virtual channel may be access controlled. When set to '0', access to event is not controlled.)
【００６３】
ｈｉｄｄｅｎフィールドは、当該チャネルが仮想チャネル番号のｄｉｒｅｃｔ ｅｎｔｒｙ（もしくは、フィールド、属性、エンティティ（個体）（entity））によってアクセス（access）され得るか否かを示す。(When hidden is set to '1', this means the channel cannot be accessed by direct entry of the virtual channel number. When set to '0', the virtual channel can be accessed by direct entry.)
【００６４】
ｐａｔｈ＿ｓｅｌｅｃｔフィールドは、仮想チャネルを活性化チャネルの伝送パスと関連付けるＣＶＣＴ内のフィールドである。(The path_select is a 1-bit field in a Cable Virtual Channel table (CVCT) entry that associates a virtual channel with a transmission path of an active channel or when the channel will be active.)
【００６５】
ｏｕｔ＿ｏｆ＿ｂａｎｄフィールドは、仮想チャネルがＯＯＢ（Out-Of-Band）物理伝送チャネルで伝送されるか否かを示す。(The out_of_band is a 1-bit Boolean field in a Cable Virtual Channel table entry that when set to '1' is carried on the out-of-band physical transmission channel. When clear or '0', the virtual channel is carried within a tuned multiplex. When the channel is inactive, out_of_band reflects the channel that will be valid when the channel is again active.)
【００６６】
ｈｉｄｅ＿ｇｕｉｄｅフィールドは、当該チャネルが仮想チャネル番号のｄｉｒｅｃｔ ｅｎｔｒｙ（もしくは、フィールド、属性、エンティティ）によってアクセスされ得るか否かを示す。(When hide_guide is set to '1', this means the channel cannot be accessed by direct entry of the virtual channel number. When set to '0', the virtual channel can be accessed by direct entry.)
【００６７】
ｓｅｒｖｉｃｅ＿ｔｙｐｅフィールドは、仮想チャネルでセットされたサービスタイプを識別する。(The service_type is a 6-bit enumerated field that identifies the type of service set in the virtual channel.)ＵＨＤサービスのための一実施例として、サービスタイプは、ｐａｒａｍｅｔｅｒｉｚｅｄ ｓｅｒｖｉｃｅ（０ｘ０７）、ｅｘｔｅｎｄｅｄ ｐａｒａｍｅｔｅｒｉｚｅｄ ｓｅｒｖｉｃｅ（０ｘ０９）もしくはｎｅｗ ＤＴＶ ｓｅｒｖｉｃｅ（０ｘ１０）と指定されてもよい。上述したサービス名称および値（ｖａｌｕｅ）は一実施例であり、他の名称もしくは値に設定されてもよい。
【００６８】
ｓｏｕｒｃｅ＿ｉｄフィールドは、１６ビットの符号なし整数であり、仮想チャネルと関連したプログラミングソースを示す。(A 16-bit unsigned integer number that identifies the programming source associated with the virtual channel. In this context, a source is one specific source of video, text, data, or audio programming. Source ID value zero is reserved. Source ID values in the range 0x0001 to 0x0FFF shall be unique within the Transport Stream that carries the VCT, while values 0x1000 to 0xFFFF shall be unique at the regional level. Values for source_ids 0x1000 and above shall be issued and administered by a Registration Authority designated by the ATSC.)
【００６９】
ｄｅｓｃｒｉｐｔｏｒｓ＿ｌｅｎｇｔｈフィールドは、次のディスクリプタフィールドのバイト長（length in bytes）を伝送する。(The descriptors_length is a 10-bit unsigned integer field that signals the length in bytes of the descriptor field to follow. If there are no descriptors present, zero would be appropriate.)
【００７０】
ｄｅｓｃｒｉｐｔｏｒは、テーブル内に位置する ディスクリプタループ（descriptor loop）である。ディスクリプタループは、追加のｄｅｓｃｒｉｐｔｏｒを含むことができる。本発明で、ＵＨＤサービスのための一実施例として、ディスクリプタループはＡＴＳＣ＿ｐｒｉｖａｔｅ＿ｉｎｆｏｒｍａｔｉｏｎ＿ｄｅｓｃｒｉｐｔｏｒを含むことができる。また、ディスクリプタループは、ＵＨＤ＿ｄｅｓｃｒｉｐｔｏｒなどの追加のｄｅｓｃｒｉｐｔｏｒをさらに含むことができる。
【００７１】
図５は、本発明の一実施例に係る、クリアカムを用いてＵＨＤサービスを提供するためのシグナリング情報を説明する図である。
【００７２】
ｔｒａｎｓｐｏｒｔ＿ｓｔｒｅａｍ＿ｉｄフィールドは、０のＰＩＤ値を有するＰＡＴ（Program Association Table）内にある１６ビットＭＰＥＧ−２ Ｔｒａｎｓｐｏｒｔ Ｓｔｒｅａｍ ＩＤと同一である。ｔｒａｎｓｐｏｒｔ＿ｓｔｒｅａｍ＿ｉｄフィールドによって、他の物理伝送チャネルで放送されるＴＶＣＴは区別される。
【００７３】
ｍａｊｏｒ＿ｃｈａｎｎｅｌ＿ｎｕｍｂｅｒフィールドは、１０ビットであり、ループの繰り返し文（iteration）内で定義される仮想チャネル（virtual channel）と関連したメジャーチャネル番号（major channel number）を示す。それぞれの仮想チャネルは、ｍａｊｏｒおよびｍｉｎｏｒ ｃｈａｎｎｅｌ ｎｕｍｂｅｒで接続されなければならない。ｍｉｎｏｒ ｃｈａｎｎｅｌ ｎｕｍｂｅｒと共にｍａｊｏｒ ｃｈａｎｎｅｌ ｎｕｍｂｅｒは、当該仮想チャネルに対するユーザの参照（基準）番号（reference number）として用いられる。ｍａｊｏｒ＿ｃｈａｎｎｅｌ＿ｎｕｍｂｅｒは、１乃至９９の範囲の値を有する。
【００７４】
ｍｉｎｏｒ＿ｃｈａｎｎｅｌ＿ｎｕｍｂｅｒフィールドは、マイナーもしくはサブチャネル番号（number of minor or sub channels）を示し、ｓｅｒｖｉｃｅ＿ｔｙｐｅがＡＴＳＣ＿ｄｉｇｉｔａｌ＿ｔｅｌｅｖｉｓｉｏｎであるサービスは、１乃至９９の範囲のｍｉｎｏｒ ｎｕｍｂｅｒを使用する。
【００７５】
ｍｏｄｕｌａｔｉｏｎ ｍｏｄｅフィールドは、仮想チャネルのトランスポートキャリアに対する変調方式を示し、ｃａｒｒｉｅｒ＿ｆｒｅｑｕｅｎｃｙフィールドは、トランスポート仮想チャネルによって用いられるキャリア周波数情報を伝送する。ｃｈａｎｎｅｌ＿ＴＳＩＤフィールドは、仮想チャネルと関連したＭＰＥＧ−２プログラムを送信するＴＳに対するＭＰＥＧ−２ Ｔｒａｎｓｐｏｒｔ Ｓｔｒｅａｍ ＩＤ値を示す。
【００７６】
ｓｏｕｒｃｅ＿ｉｄフィールドは、当該仮想チャネルに接続されたプログラミングソース（programming source）を示す１６ビットである。ここで、ｓｏｕｒｃｅは、ビデオ、テキスト、データもしくはオーディオプログラミングなどの一つの特定ソースを指す。ｓｏｕｒｃｅ＿ｉｄフィールドは、当該ＶＣＴを送信するＴＳ内で０ｘ１０００乃至０ｘ０ＦＦＦの範囲内の唯一の値を有する。
【００７７】
ｓｅｒｖｉｃｅ＿ｔｙｐｅフィールドは、仮想チャネルでセットされたサービスタイプを識別する。(The service_type is a 6-bit enumerated field that identifies the type of service set in the virtual channel.)一実施例として、ｓｅｒｖｉｃｅ＿ｔｙｐｅフィールドは、ＵＨＤサービスを提供するために、ｐａｒａｍｅｔｅｒｉｚｅｄ ｓｅｒｖｉｃｅ（０ｘ０７）、ｅｘｔｅｎｄｅｄ ｐａｒａｍｅｔｅｒｉｚｅｄ ｓｅｒｖｉｃｅ（０ｘ０９）もしくはｎｅｗ ＤＴＶ ｓｅｒｖｉｃｅ（０ｘ１０）のいずれか一つであると定義され指定されてもよい。上述したサービス名称および値（value）は一実施例であり、他の名称もしくは値に設定されてもよい。
【００７８】
一実施例として、ディスクリプタループは、ｓｅｒｖｉｃｅ＿ｌｏｃａｔｉｏｎ＿ｄｅｓｃｒｉｐｔｏｒ、ＡＴＳＣ＿ｐｒｉｖａｔｅ＿ｉｎｆｏｒｍａｔｉｏｎ＿ｄｅｓｃｒｉｐｔｏｒおよびＵＨＤ＿ｄｅｓｃｒｉｐｔｏｒを含むことができる。ｓｅｒｖｉｃｅ＿ｌｏｃａｔｉｏｎ＿ｄｅｓｃｒｉｐｔｏｒは、エレメントストリーム（element stream）のｔｙｐｅ情報を含むことができる。ＡＴＳＣ＿ｐｒｉｖａｔｅ＿ｉｎｆｏｒｍａｔｉｏｎ＿ｄｅｓｃｒｉｐｔｏｒは、チャネルの暗号化および同一放送送出の有無に関する情報を含むことができる。ＵＨＤ＿ｄｅｓｃｒｉｐｔｏｒは、ＵＨＤ放送復元（restoration）のための情報を含むことができる。各ディスクリプタの詳細については後述する。
【００７９】
例えば、ＣＶＣＴチャネル内にＡＴＳＣ＿ｐｒｉｖａｔｅ＿ｉｎｆｏｒｍａｔｉｏｎ＿ｄｅｓｃｒｉｐｔｏｒが存在すると、信号送信装置は、ＵＨＤチャネル、ＨＤチャネルおよびＳＤチャネルを区別し、信号受信装置で重複受信しないようにする。このため、信号送信装置は、ＡＴＳＣ＿ｐｒｉｖａｔｅ＿ｉｎｆｏｒｍａｔｉｏｎ＿ｄｅｓｃｒｉｐｔｏｒ内に含まれたｃｈａｎｎｅｌ ｍｏｄｅおよびｒｅｓｏｌｕｔｉｏｎフィールドを用いてＵＨＤチャネルをシグナリングする。また、信号送信装置は、ＣＶＣＴとＴＶＣＴ内に含まれたｄｅｓｒｉｐｔｏｒを用いて４Ｋ ＵＨＤビデオの詳細情報をシグナリングする。例えば、ＵＨＤビデオの詳細情報は、解像度、フレームレート（frame rate）、アスペクト比、ｂｉｔ ｄｅｐｔｈ、クロマ（chroma）サンプリングなどの情報を含むことができる。このような詳細情報は、ｐａｒａｍｅｔｅｒｉｚｅｄ ｓｅｒｖｉｃｅもしくはｅｘｔｅｎｄｅｄ ｐａｒａｍｅｔｅｒｉｚｅｄ ｓｅｒｖｉｃｅの場合、ｃｏｍｐｏｎｅｎｔ ｌｉｓｔ ｄｅｓｃｒｉｐｔｏｒおよびｐａｒａｍｅｔｅｒｉｚｅｄ ｓｅｒｖｉｃｅ ｄｅｓｃｒｉｐｔｏｒを用いてシグナリングすることができる。もしくは、ｎｅｗ ＤＴＶ ｓｅｒｖｉｃｅの場合、別のディスクリプタを用いてシグナリングすることができる。
【００８０】
一実施例として、解像度（resolution）のみが異なる同一内容のコンテンツが１つの物理チャネル（physical channel）を介して同時伝送される場合、物理チャネルを示すｔｒａｎｓｐｏｒｔ＿ｓｔｒｅａｍ＿ｉｄは同一であり、仮想チャネルを示すｓｏｕｒｃｅ＿ｉｄは異なってもよい。このため、信号受信装置は、ｃｈａｎｎｅｌ＿ＴＳＩＤ、ｓｏｕｒｃｅ＿ｉｄ、ｍａｊｏｒ＿ｃｈａｎｎｅｌ＿ｎｕｍｂｅｒおよびｍｉｎｏｒ＿ｃｈａｎｎｅｌ＿ｎｕｍｂｅｒ情報を確認する。
【００８１】
他の例として、物理チャネルが異なる場合にも、解像度のみ異なる同一内容のコンテンツが伝送されてもよい。したがって、チャネル切替のために、ｃｈａｎｎｅｌ＿ＴＳＩＤ、ｓｏｕｒｃｅ＿ｉｄ、ｍａｊｏｒ＿ｃｈａｎｎｅｌ＿ｎｕｍｂｅｒおよびｍｉｎｏｒ＿ｃｈａｎｎｅｌ＿ｎｕｍｂｅｒ情報に加えて、ｔｒａｎｓｐｏｒｔ＿ｓｔｒｅａｍ＿ｉｄ、ｍｏｄｕｌａｔｉｏｎ＿ｍｏｄｅおよびｃａｒｒｉｅｒ＿ｆｒｅｑｕｅｎｃｙ情報などをさらに必要としてもよい。また、ＵＨＤ＿ｄｅｓｃｒｉｐｔｏｒは、信号受信装置がＵＨＤサービスを受信できるか否かを判断する上で必要な情報を含むことができる。
【００８２】
図６は、本発明の一実施例に係るコーデック情報をシグナリングする例を説明する図である。
【００８３】
ｓｅｒｖｉｃｅ＿ｌｏｃａｔｉｏｎ＿ｄｅｓｃｒｉｐｔｏｒは、ｄｅｓｃｒｉｐｔｏｒｓ＿ｌｅｎｇｔｈフィールドの次に位置することができる。ｓｅｒｖｉｃｅ＿ｌｏｃａｔｉｏｎ＿ｄｅｓｃｒｉｐｔｏｒは次の情報を含むことができる。
【００８４】
ｄｅｓｃｒｉｐｔｏｒ＿ｔａｇフィールドは、このディスクリプタを識別する識別子を含むことができ、ｄｅｓｃｒｉｐｔｏｒ＿ｌｅｎｇｔｈフィールドはディスクリプタの長さを示す。
【００８５】
ＰＣＲ＿ＰＩＤフィールドは、プログラムサービスのためにＰＣＲ（Program Clock Reference）を発見できるパケットを識別する識別子を示す。(The PCR_PID is the packet id where the program clock reference for a program service can be found.)
【００８６】
ｎｕｍｂｅｒ＿ｅｌｅｍｅｎｔｓフィールドは、当該ディスクリプタにリストされた要素の数を示す。(The number_elements is that gives the number of elements listed in the descriptor.)
【００８７】
ｓｔｒｅａｍ＿ｔｙｐｅフィールドは、当該サービス（もしくは、チャネル）で伝送されるビデオがどのようなコーデックを用いて圧縮されたかを知らせる。一実施例として、ｓｔｒｅａｍ＿ｔｙｐｅが０ｘ１Ｂである場合、伝送されるビデオデータがＡＶＣ／Ｈ．２６４を用いて圧縮されたことを意味する。ｓｔｒｅａｍ＿ｔｙｐｅが０ｘ２４である場合、伝送されるビデオデータがＨＥＶＣを用いて圧縮されたことを意味する。ｓｔｒｅａｍ＿ｔｙｐｅは、ＣＶＣＴ内のｓｅｒｖｉｃｅ＿ｌｏｃａｔｉｏｎ＿ｄｅｓｃｒｉｐｔｏｒに位置することができる。
【００８８】
ｅｌｅｍｅｎｔａｒｙ＿ＰＩＤフィールドは、特定のエレメンタリストリーム（elementary stream）を発見するためのＰＭＴセクション内で指定されたパケットＩＤを示す。(The elementary_PID is the packet id indicated in a PMT section to fine a particular elementary stream.)
【００８９】
ＩＳＯ＿６３９＿ｌａｎｇｕａｇｅ＿ｃｏｄｅフィールドは、エレメンタリストリームで用いられる言語を特定するためにｓｅｒｖｉｃｅ＿ｌｏｃａｔｉｏｎ＿ｄｅｓｃｒｉｐｔｏｒ内に含まれるフィールドである。(The ISO_639_language_code is a 24-bit three ASCII character field in an ATSC Service location descriptor that in conformance with ISO 639.2/B specifies the language used for the elementary stream.)
【００９０】
図７は、本発明の一実施例に係る、ＵＨＤサービスを提供するための具体的なシグナリング情報を説明する図である。
【００９１】
図７は、ケーブル放送事業者の総合（全体）（total）チャネル周波数編成バージョン、当該チャネルが暗号化されたか否かおよびＶＯＤチャネルか否か、映像解像度、および同一放送送出の有無などを知らせるためのクリアカムＤＴＶ用記述子のビット列構文の一実施例を示す。このディスクリプタは、全てのチャネルのＣＶＣＴ内にあるディスクリプタループに存在する。
【００９２】
ｄｅｓｃｒｉｐｔｏｒ＿ｔａｇフィールドは、ＡＴＳＣ＿ｐｒｉｖａｔｅ＿ｉｎｆｏｒｍａｔｉｏｎ＿ｄｅｓｃｒｉｐｔｏｒであることを示し、８ビットフィールドであって、値０ｘＡＤを有する。
【００９３】
ｄｅｓｃｒｉｐｔｏｒ＿ｌｅｎｇｔｈフィールドは、ｄｅｓｃｒｉｐｔｏｒ＿ｌｅｎｇｔｈフィールド以降から当該ディスクリプタの最後までの、ディスクリプタの残り長さをバイト単位で示す８ビットフィールドであり、値０ｘ０９を有する。
【００９４】
ｆｏｒｍａｔ＿ｉｄｅｎｔｉｆｉｅｒフィールドは、ＡＴＳＣ＿ｐｒｉｖａｔｅ＿ｉｎｆｏｒｍａｔｉｏｎ＿ｄｅｓｃｒｉｐｔｏｒの使用のためにＳＭＰＴＥに登録された値を使用し、３２ビットであって、値０ｘ５４５４４１３０を有する。
【００９５】
ｐｒｉｖａｔｅ＿ｉｎｆｏ＿ｃｏｕｎｔフィールドは、ｐｒｉｖａｔｅ＿ｉｎｆｏ＿ｌｏｏｐ内のｌｏｏｐ ｃｏｕｎｔを示し、８ビットフィールドであって、値０ｘ０１を有する。
【００９６】
ｐｒｉｖａｔｅ＿ｉｎｆｏ＿ｔｙｐｅフィールドは、ＡＴＳＣ＿ｐｒｉｖａｔｅ＿ｉｎｆｏｒｍａｔｉｏｎ＿ｄｅｓｃｒｉｐｔｏｒを使用したクリアカムＤＴＶ用記述子であることを示し、８ビットフィールドであって、値０ｘ０２を有する。
【００９７】
ｐｒｉｖａｔｅ＿ｉｎｆｏ＿ｌｅｎｇｔｈフィールドは、ｐｒｉｖａｔｅ＿ｉｎｆｏ＿ｌｅｎｇｔｈフィールド以降からｐｒｉｖａｔｅ＿ｉｎｆｏ＿ｌｏｏｐ内の最後までの、各フィールドの全ての長さをバイト単位で示す８ビットフィールドであり、値０ｘ０２を有する。
【００９８】
ｃｈ＿ｆｒｅｑｕｅｎｃｙ＿ｖｅｒｓｉｏｎ＿ｎｕｍｂｅｒフィールドは、当該ケーブル放送社の総合周波数編成バージョンの値を示し、ケーブル放送社の周波数編成が変わった時、１だけ増加させた後２５６で割った余りで表示される。全てのチャネルのＣＶＣＴ内にあるクリアカムＤＴＶ用ディスクリプタに同一の値で記述されなければならない。当該フィールド値が変更される場合、受信装置では放送チャネル周波数編成が変更されたことをユーザに告知し、チャネル検索をするように誘導することができる。
【００９９】
ｃｈａｎｎｅｌ＿ｍｏｄｅフィールドは、当該チャネルが、暗号化されたか否かおよびＶＯＤチャネルであるか否かを示す。クリアカム受信装置は、非暗号化チャネルのみをユーザが視聴できるようにする。このフィールド値とＣＶＣＴのａｃｃｅｓｓ＿ｃｏｎｔｒｏｌｌｅｄ値との意味が相反する場合、このフィールド値が優先して適用される。そして、このフィールド値の優先適用は、ＣＶＣＴのｈｉｄｄｅｎフィールドが‘１’でない場合にのみ有効である。
【０１００】
例えば、次のような値をＵＨＤ放送サービスのｃｈａｎｎｅｌ＿ｍｏｄｅフィールドに割り当てることができる。
【０１０１】
ｃｈａｎｎｅｌ＿ｍｏｄｅフィールドが０である場合、非暗号化チャネル（クリアチャネル）（clear channel）を意味し、受信装置で当該チャネルを処理する。
【０１０２】
ｃｈａｎｎｅｌ＿ｍｏｄｅフィールドが１である場合、暗号化チャネル（スクランブルチャネル）（scrambling channel）を意味し、受信装置で当該チャネルを無視する。
【０１０３】
ｃｈａｎｎｅｌ＿ｍｏｄｅフィールドが２である場合、ビデオオンデマンドチャネル（ＶＯＤチャネル）（VOD channel）を意味し、受信装置で当該チャネルを無視する。
【０１０４】
ｒｅｓｏｌｕｔｉｏｎフィールドは、当該チャネルの映像解像度および同一放送送出の有無などを示し、受信装置は、当該フィールド値によって、ユーザの便宜のために、同一放送チャネルをユーザに重複提供しないなどの適切な処理をすることができる。受信装置は、処理可能な映像解像度を有するチャネルについてのみチャネル構成に含め、その他のフィールド値についてはチャネル構成に含めない。
【０１０５】
ｒｅｓｏｌｕｔｉｏｎフィールドは、当該チャネルの解像度情報および当該チャネルとの解像度重複チャネルの有無に関する情報を含む。すなわち、ｒｅｓｏｌｕｔｉｏｎフィールド値から、当該チャネルがＳＤチャネルであるか、ＨＤチャネルであるかもしくはＵＨＤチャネルであるかを識別することができ、各チャネルと重複するチャネルがあるか否かを識別することができる。
【０１０６】
一実施例として、次のような値をｒｅｓｏｌｕｔｉｏｎフィールドに割り当てることができる。
【０１０７】
ｒｅｓｏｌｕｔｉｏｎフィールドが１である場合、重複チャネルがないＳＤチャネルを意味する。ｒｅｓｏｌｕｔｉｏｎフィールドが２である場合、ＨＤ重複チャネルが存在するＳＤチャネルを意味する。ｒｅｓｏｌｕｔｉｏｎフィールドが３である場合、ＵＨＤ重複チャネルが存在するＳＤチャネルを意味する。
【０１０８】
ｒｅｓｏｌｕｔｉｏｎフィールドが４である場合、重複チャネルがないＨＤチャネルを意味する。ｒｅｓｏｌｕｔｉｏｎフィールドが５である場合、ＳＤ重複チャネルが存在するＨＤチャネルを意味する。ｒｅｓｏｌｕｔｉｏｎフィールドが６である場合、ＵＨＤ重複チャネルが存在するＨＤチャネルを意味する。
【０１０９】
ｒｅｓｏｌｕｔｉｏｎフィールドが７である場合、重複チャネルがないＵＨＤチャネルを意味する。ｒｅｓｏｌｕｔｉｏｎフィールドが８である場合、ＳＤ重複チャネルが存在するＵＨＤチャネルを意味する。ｒｅｓｏｌｕｔｉｏｎフィールドが９である場合、ＨＤ重複チャネルが存在するＵＨＤチャネルを意味する。
【０１１０】
クリアカムとは、ＡＴＳＣ＿ｐｒｉｖａｔｅ＿ｉｎｆｏｒｍａｔｉｏｎ＿ｄｅｓｃｒｉｐｔｏｒ内にあるｃｈａｎｎｅｌ＿ｍｏｄｅフィールドが０である非暗号化チャネルのみをユーザが視聴できるようにすることを意味する。
【０１１１】
例えば、ｒｅｓｏｌｕｔｉｏｎ値が３もしくは６である場合（ＵＨＤチャネルではないが、ＵＨＤ重複チャネルが存在）、ＣＶＣＴフィールド値（例えば、ｃｈａｎｎｅｌ＿ＴＳＩＤ、ｓｏｕｒｃｅ＿ＩＤ、ｍａｊｏｒ＿ｃｈａｎｎｅｌ＿ｎｕｍｂｅｒ、ｍｉｎｏｒ＿ｃｈａｎｎｅｌ＿ｎｕｍｂｅｒ、ｍｏｄｕｌａｔｉｏｎ＿ｍｏｄｅ、ｃａｒｒｉｅｒ＿ｆｒｅｑｕｅｎｃｙなど）とＵＨＤ＿ｌｉｎｋａｇｅ＿ｄｅｓｃｒｉｐｔｏｒとの組合せを用いて、現在のチャネルをＵＨＤチャネルに切り替えることができる。また、ｒｅｓｏｌｕｔｉｏｎ値が７、８、９に該当する場合、ＵＨＤチャネルの識別情報を提供するために、ＵＨＤ＿ｄｅｓｃｒｉｐｔｏｒを用いてＵＨＤビデオに関する細部情報を提供することができる。
【０１１２】
図８は、本発明の一実施例に係る、ＵＨＤチャネルを提供するためのシグナリング情報を説明する図である。
【０１１３】
ｒｅｓｏｌｕｔｉｏｎフィールドがＵＨＤチャネルに該当（ｒｅｓｏｌｕｔｉｏｎ：７〜９）する場合、ＵＨＤ＿ｄｅｓｃｒｉｐｔｏｒを用いて受信装置がＵＨＤチャネルを受信可能か否かを判断し、ＵＨＤサービスを行うことができる。
【０１１４】
このような機能を果たすためにＵＨＤ＿ｄｅｓｃｒｉｐｔｏｒは次のような情報を含むことができる。
【０１１５】
ｄｅｓｃｒｉｐｔｏｒ＿ｔａｇフィールドは、このディスクリプタを識別する識別子を含むことができ、ｄｅｓｃｒｉｐｔｏｒ＿ｌｅｎｇｔｈはディスクリプタの長さを示す。ＵＨＤ＿ｄｅｓｃｒｉｐｔｏｒはＵＨＤ＿ｍｅｔａｄａｔａフィールドを含む。ＵＨＤ＿ｍｅｔａｄａｔａフィールドは、次のような情報を含むことができる。
【０１１６】
ＵＨＤ＿ｖｉｄｅｏ＿ｃｏｄｅｃ＿ｔｙｐｅフィールドは、ＵＨＤサービスを構成するビデオエレメント（video element）のコーデックを示す。ＰＭＴのｓｔｒｅａｍ＿ｔｙｐｅと同一の値を有する。ＰＭＴのｓｔｒｅａｍ＿ｔｙｐｅは、ＭＰＥＧ−２，Ｈ．２６４／ＡＶＣもしくはＨＥＶＣなどの情報を示す。
【０１１７】
ＵＨＤ＿ｖｉｄｅｏ＿ｐｒｏｆｉｌｅフィールドは、当該ビデオストリームに対するプロファイル、すなわち、当該ストリームをデコードするために必要な基本仕様を示す。ＵＨＤ＿ｖｉｄｅｏ＿ｐｒｏｆｉｌｅフィールドは、当該ビデオストリームのクロマサブサンプリング（chroma subsampling）（例えば、４：２：０，４：２：２など）、ビット深さ（デプス）（bit depth）（例えば、８ビット、１０ビット）、コーディングツール（coding tool）などに関するｒｅｑｕｉｒｅｍｅｎｔ情報などを含む。
【０１１８】
ＵＨＤ＿ｖｉｄｅｏ＿ｌｅｖｅｌフィールドは、当該ビデオストリームに対するｌｅｖｅｌ、すなわち、プロファイルで定義した記述要素をどの範囲まで支援するかについて定義する。解像度、フレームレート、ビットレート情報などが含まれる。
【０１１９】
ＵＨＤ＿ｖｉｄｅｏ＿ｒｅｓｏｌｕｔｉｏｎフィールドは、ＵＨＤビデオフォーマットに関する情報をシグナリングするものであり、ビデオの解像度を示す。（例えば、３８４０×２１６０、４０９６×２１６０、７６８０×４３２０など）
【０１２０】
ＵＨＤ＿ｖｉｄｅｏ＿ｆｒａｍｅｒａｔｅフィールドは、ＵＨＤビデオのフレームレート情報を示す。（例えば、３０ｆｐｓ、６０ｆｐｓ、１２０ｆｐｓなど）
【０１２１】
ＵＨＤ＿ｖｉｄｅｏ＿ｂｉｔｄｅｐｔｈフィールドはＵＨＤビデオのビット深さ情報を示す。（例えば、８ビット、１０ビット、１２ビットなど）
【０１２２】
ＵＨＤ＿ｖｉｄｅｏ＿ｃｈｒｏｍａ＿ｓａｍｐｌｉｎｇフィールドは、ＵＨＤビデオクロマサンプリング情報を示す。（例えば、４：２：０、４：２：２、４：４：４など）
【０１２３】
ＵＨＤ＿ｖｉｄｅｏ＿ａｓｐｅｃｔｒａｔｉｏフィールドは、ＵＨＤビデオアスペクト比（aspect ratio）情報を示す。（例えば、１６：９、２１：９など）
【０１２４】
ＵＨＤ＿ｖｉｄｅｏ＿ｔｉｅｒフィールドは、ｌｅｖｅｌと連動させてビデオストリームの最大ビットレート（maximum bit rate）情報を示す。ｔｉｅｒは、既存の最大ビットレートよりも高い最大ビットレートを提供するためのものである。ｔｉｅｒは、ｍａｉｎ ｔｉｅｒとｈｉｇｈ ｔｉｅｒとに区別できる。すなわち、ｔｉｅｒは、より高画質の映像が要求されるときのために、ｌｅｖｅｌによる最大ビットレートを用途によって分けることができる。
【０１２５】
A specified category of level constraints imposed on values of the syntax elements in the bitstream, where the level constraints are nested within a tier and a decoder conforming to a certain tier and level would be capable of decoding all bitstreams that conform to the same tier or the lower tier of that level or any level.
【０１２６】
このような方式で、受信装置は、ＣＶＣＴ内に含まれたディスクリプタ情報を用いてＵＨＤチャネルを受信し、ＵＨＤサービスを行うことができる。
【０１２７】
図９は、本発明の他の実施例に係る、クリアカムを用いてＵＨＤサービスを提供するためのシグナリング情報を説明する図である。すなわち、ＣＶＣＴ内にＡＴＳＣ ｐｒｉｖａｔｅ ｉｎｆｏｒｍａｔｉｏｎ ｄｅｓｃｒｉｐｔｏｒが含まれない場合、ＴＶＣＴ（Terrestrial Virtual Channel Table）を用いてＵＨＤサービスのためのシグナリングを行うことができる。
【０１２８】
ｔａｂｌｅ＿ｉｄフィールドはテーブルを識別する。図９に示すテーブルは、ＴＶＣＴであるから、ｔａｂｌｅ＿ｉｄの値は０ｘ０８である。
【０１２９】
ｓｅｃｔｉｏｎ＿ｓｙｎｔａｘ＿ｉｎｄｉｃａｔｏｒフィールドは、ＭＰＥＧ−２ ｐｒｉｖａｔｅ＿ｓｅｃｔｉｏｎテーブルの“ｌｏｎｇ”形態を示すために１にセットされる１ビットフィールドである。(This 1-bit field shall be set to '1' to always indicate the "long" form of the MPEG-2 private_section table.)
【０１３０】
ｐｒｉｖａｔｅ＿ｉｎｄｉｃａｔｏｒフィールドは、１にセットされる１ビットフィールドである。(This 1-bit field shall be set to '1'.)
【０１３１】
ｓｅｃｔｉｏｎ＿ｌｅｎｇｔｈフィールドは、このフィールド以降のテーブルセクションの長さをバイト数で示す。(This is a 12-bit field, the first two bits of which shall be "00". It specifies the number of bytes of the section, starting immediately following the section_length field and including the CRC. The section_length shall not exceed 1021 so that the entire section has a maximum length of 1024 bytes.)
【０１３２】
ｔｒａｎｓｐｏｒｔ＿ｓｔｒｅａｍ＿ｉｄフィールドは、テーブル内にあるＭＰＥＧ−２トランスポートストリーム（Transport Stream：ＴＳ）の識別子を示す。(To distinguish each transport stream within a single network (terrestrial, cable or satellite) from another, MPEG-2 established the use of a 16-bit (ranging from 0 to 65535) transport_stream_identifier, which is also called a TSID.)
【０１３３】
ｖｅｒｓｉｏｎ＿ｎｕｍｂｅｒフィールドは、テーブルのバージョン番号を示す５ビットフィールドである。(This 5-bit field is the version number of the PSIP_section. The version_number shall be incremented by 1 modulo 32 when a change in the information carried within the PSIP_section occurs. When the current_next_indicator is set to '0', then the version_number shall be that of the next applicable PSIP_section with the same table_id, table_id_extension, and section_number.)
【０１３４】
ｃｕｒｒｅｎｔ＿ｎｅｘｔ＿ｉｎｄｉｃａｔｏｒフィールドは１ビットフィールドであり、このテーブルが現在適用可能かもしくは次に適用可能かを示す。(A 1-bit field, which when set to '1' indicates that the PSIP_section sent is currently applicable. When the current_next_indicator is set to '1', then the version_number shall be that of the currently applicable PSIP_section. When the bit is set to '0', it indicates that the PSIP_section sent is not yet applicable and shall be the next PSIP_section with the same section_number, table_id_extension, and table_id to become valid.)
【０１３５】
ｓｅｃｔｉｏｎ＿ｎｕｍｂｅｒフィールドは、セクションの番号を示す。(This 8-bit field gives the number of the PSIP_section. The section_number of the first section in a PSIP table shall be 0x00. The section_number shall be incremented by 1 with each additional section in PSIP table. The scope of the section_number shall be defined by the table_id and table_id_extension. That is, for each PSIP table and value of the table_id_extension field, there is the potential for the full range of section_number values.)
【０１３６】
ｌａｓｔ＿ｓｅｃｔｉｏｎ＿ｎｕｍｂｅｒフィールドは、最後のセクションの番号を特定する。(This 8-bit field specifies the number of the last section (that is, the section with the highest section_number) of the PSIP table of which this section is a part. Its scope is the same as for the section_number field.)
【０１３７】
ｐｒｏｔｏｃｏｌ＿ｖｅｒｓｉｏｎフィールドは、現在のプロトコルで定義されたパラメータと異なるパラメータを、現在のテーブルタイプが後で持つことができるようにするための機能を有するフィールドである。(An 8-bit unsigned integer field whose function is to allow, in the future, this table type to carry parameters that may be structured differently than those defined in the current protocol. At present, the only valid value for protocol_version is zero. Non-zero values of protocol_version may be used by a future version of this standard to indicate structurally different tables.)
【０１３８】
ｎｕｍ＿ｃｈａｎｎｅｌｓ＿ｉｎ＿ｓｅｃｔｉｏｎフィールドは、仮想チャネル解像度の数を示す。(The num_channels_in_section field in ATSC Cable Virtual Channel table CVCT table sections is an eight-bit field that indicates the number of virtual channel definitions to follow in the table section.)
【０１３９】
ｓｈｏｒｔ＿ｎａｍｅフィールドは、仮想チャネルのためのショートネーム（short name）を示す１１２ビットフィールドである。(The short_name field is a 112-bit field in ATSC CVCT table sections that gives the short_name for the virtual channel. Each letter of the short_name is formatted as a 16-bit Unicode character, with the high order byte transmitted first. So, short_name for TVCT and CVCT entries is seven Unicode characters, which short_name for SVCT entries is eight Unicode characters. If the display name is less than the number of permitted characters, 0/0x00 is appended to the end until the allotted number of bits has been reached.)
【０１４０】
ＡＴＳＣチャネル番号は、２つのパートのチャネル番号で表示される。
【０１４１】
ｍａｊｏｒ＿ｃｈａｎｎｅｌ＿ｎｕｍｂｅｒフィールドは、仮想チャネルと関連したメジャーチャネルの番号（数）（number）を示す。(A 10-bit number that represents the “major” channel number associated with the virtual channel being defined in this iteration of the “for” loop. Each virtual channel shall be associated with a major and a minor channel number. The major channel number, along with the minor channel number, act as the user’s reference number for the virtual channel. The major_channel_number shall be between 1 and 99. The value of major_channel_number shall be set such that in no case is a major_channel_number/ minor_channel_number pair duplicated within the TVCT.)
【０１４２】
ｍｉｎｏｒ＿ｃｈａｎｎｅｌ＿ｎｕｍｂｅｒフィールドは、仮想チャネルと関連したマイナーチャネルの番号を示す。(A 10-bit number in the range 0 to 999 that represents the “minor” or “sub”- channel number. This field, together with major_channel_number, performs as a two-part channel number, where minor_channel_number represents the second or right-hand part of the number. When the service_type is analog television, minor_channel_number shall be set to 0.)
【０１４３】
ｍｏｄｕｌａｔｉｏｎ ｍｏｄｅフィールドは、仮想チャネルのトランスポートキャリアに対する変調方式を示す。(The modulation_mode is an eight-bit field in a virtual channel entry tells receivers the modulation used to transmit individual channels.)
【０１４４】
ｃａｒｒｉｅｒ＿ｆｒｅｑｕｅｎｃｙフィールドは、トランスポート仮想チャネルによって用いられるキャリア周波数情報を伝送する。(The carrier frequency is a 32-bit field that transmits the carrier frequency used by the transport carrying the virtual channel.)
【０１４５】
ｃｈａｎｎｅｌ＿ＴＳＩＤフィールドは、仮想チャネルと関連したＭＰＥＧ−２プログラムを送信するトランスポートストリーム（Transport Stream：ＴＳ）に対するＭＰＥＧ−２ Ｔｒａｎｓｐｏｒｔ Ｓｔｒｅａｍ ＩＤを示す。(The channel_TSID is a 16-bit unsigned integer field that gives the transport_stream_id of the channel that carries (or for inactive channels, will carry) the virtual channel.)
【０１４６】
ｐｒｏｇｒａｍ＿ｎｕｍｂｅｒフィールドは、ＴＳ内の各プログラムサービスもしくは仮想チャネルを識別する。(The program_number is a 16-bit unsigned integer that uniquely identifies each program service (or virtual channel) present in a transport stream.)
【０１４７】
ＥＴＭ＿ｌｏｃａｔｉｏｎフィールドは、チャネル、イベントもしくはデータイベントのための拡張されたテキストメッセージが存在するか否かを示す。(The ETM_location field denotes whether there is an extended text message for the channel (Channel Extended Text Table or CETT), event (Event Extended Text table) or data event (Data Extended Text table).)
【０１４８】
ａｃｃｅｓｓ＿ｃｏｎｔｒｏｌｌｅｄフィールドは、当該仮想チャネルと関連したイベントが制御され得るか否かを示す。(When access_controlled is set to '1', this means that events associated with this virtual channel may be access controlled. When set to '0', access to event is not controlled.)
【０１４９】
ｈｉｄｄｅｎフィールドは、当該チャネルが仮想チャネル番号のｄｉｒｅｃｔ ｅｎｔｒｙ（もしくは、フィールド、属性、エンティティ）によってアクセスされ得るか否かを意味する。(When hidden is set to '1', this means the channel cannot be accessed by direct entry of the virtual channel number. When set to '0', the virtual channel can be accessed by direct entry.)
【０１５０】
ｈｉｄｅ＿ｇｕｉｄｅフィールドは、当該チャネルが仮想チャネル番号のｄｉｒｅｃｔ ｅｎｔｒｙ（もしくは、フィールド、属性、エンティティ）によってアクセスされ得るか否かを意味する。(When hide_guide is set to '1', this means the channel cannot be accessed by direct entry of the virtual channel number. When set to '0', the virtual channel can be accessed by direct entry.)
【０１５１】
ｓｅｒｖｉｃｅ＿ｔｙｐｅフィールドは、仮想チャネルでセットされたサービスタイプを識別する(The service_type is a 6-bit enumerated field that identifies the type of service set in the virtual channel.)。ＵＨＤサービスのための一実施例として、サービスタイプは、ｐａｒａｍｅｔｅｒｉｚｅｄ ｓｅｒｖｉｃｅ（０ｘ０７）、ｅｘｔｅｎｄｅｄ ｐａｒａｍｅｔｅｒｉｚｅｄ ｓｅｒｖｉｃｅ（０ｘ０９）もしくはｎｅｗ ＤＴＶ ｓｅｒｖｉｃｅ（０ｘ１０）と指定されてもよい。上述したサービス名称および値（ｖａｌｕｅ）は一実施例であり、他の名称もしくは値に設定されてもよい。
【０１５２】
ｓｏｕｒｃｅ＿ｉｄフィールドは、１６ビットの符号なし整数であり、仮想チャネルと関連したプログラミングソースを示す。(A 16-bit unsigned integer number that identifies the programming source associated with the virtual channel. In this context, a source is one specific source of video, text, data, or audio programming. Source ID value zero is reserved. Source ID values in the range 0x0001 to 0x0FFF shall be unique within the Transport Stream that carries the VCT, while values 0x1000 to 0xFFFF shall be unique at the regional level. Values for source_ids 0x1000 and above shall be issued and administered by a Registration Authority designated by the ATSC.)
【０１５３】
ｄｅｓｃｒｉｐｔｏｒｓ＿ｌｅｎｇｔｈフィールドは、次のディスクリプタフィールドのバイト長を伝送する。 (The descriptors_length is a 10-bit unsigned integer field that signals the length in bytes of the descriptor field to follow. If there are no descriptors present, zero would be appropriate.)
【０１５４】
ｄｅｓｃｒｉｐｔｏｒは、テーブル内に位置するディスクリプタループである。ディスクリプタループは、追加のｄｅｓｃｒｉｐｔｏｒを含むことができる。ｄｅｓｃｒｉｐｔｏｒに含まれる具体的なＵＨＤサービス識別情報については後述する。
【０１５５】
ａｄｄｉｔｉｏｎａｌ＿ｄｅｓｃｒｉｐｔｏｒｓ＿ｌｅｎｇｔｈフィールドは、次のｄｅｓｃｒｉｐｔｏｒフィールドのバイト長を示す。(The additional_descriptors_length is a 10-bit field that signals the length in bytes of the descriptor field to follow. If there are no descriptors present, zero would be appropriate.)
【０１５６】
ａｄｄｉｔｉｏｎａｌ＿ｄｅｓｃｒｉｐｔｏｒは、追加のｄｅｓｃｒｉｐｔｏｒを定義することができる。
【０１５７】
例えば、ＣＶＣＴ内にＡＴＳＣ＿ｐｒｉｖａｔｅ＿ｉｎｆｏｒｍａｔｉｏｎ＿ｄｅｓｃｒｉｐｔｏｒが含まれない場合、送信装置は、ＴＶＣＴを用いて、ＵＨＤチャネルがＨＤチャネルもしくはＳＤチャネルと重複受信されないようにシグナリング情報をシグナリングする。すなわち、送信装置は、ＴＶＣＴを用いて、ＵＨＤチャネルに関する情報を別途にシグナリングし、ＣＶＣＴおよびＴＶＣＴの少なくとも一つに含まれるｓｅｒｖｉｃｅ＿ｔｙｐｅフィールドを用いて当該チャネルでＵＨＤサービスに関する情報をシグナリングする。また、ＣＶＣＴおよびＴＶＣＴの少なくとも一つに含まれるｄｅｓｃｒｉｐｔｏｒによってＵＨＤビデオの詳細情報がシグナリングされる。
【０１５８】
図１０は、本発明のサービスによるディスクリプタ情報の実施例を説明する図である。
【０１５９】
一実施例として、送信装置がＵＨＤビデオ信号を送信する場合、ｓｅｒｖｉｃｅ＿ｔｙｐｅは、０ｘ０７、０ｘ０９もしくは０ｘ１０のいずれかに設定されてもよい。ｓｅｒｖｉｃｅ＿ｔｙｐｅが０ｘ０７に設定された場合、ＴＶＣＴは、ｃｏｍｐｏｎｅｎｔ ｌｉｓｔ ｄｅｓｃｒｉｐｔｏｒ、ｓｅｒｖｉｃｅ ｌｏｃａｔｉｏｎ ｄｅｓｃｒｉｐｔｏｒおよびＵＨＤ ｄｅｓｃｒｉｐｔｏｒを含むことができる。ｓｅｒｖｉｃｅ＿ｔｙｐｅが０ｘ０９に設定された場合、ＴＶＣＴは、ｃｏｍｐｏｎｅｎｔ ｌｉｓｔ ｄｅｓｃｒｉｐｔｏｒ、ｐａｒａｍｅｔｅｒｉｚｅｄ ｓｅｒｖｉｃｅ ｄｅｓｃｒｉｐｔｏｒおよびｓｅｒｖｉｃｅ ｌｏｃａｔｉｏｎ ｄｅｓｃｒｉｐｔｏｒを含むことができる。ｓｅｒｖｉｃｅ＿ｔｙｐｅが０ｘ１０に設定された場合、ＴＶＣＴは、ＵＨＤ ｄｅｓｃｒｉｐｔｏｒおよびｓｅｒｖｉｃｅ ｌｏｃａｔｉｏｎ ｄｅｓｃｒｉｐｔｏｒを含むことができる。
【０１６０】
送信装置がＵＨＤビデオ信号以外の信号（Non-UHD）を送信する場合、ｓｅｒｖｉｃｅ＿ｔｙｐｅは、０ｘ０２、０ｘ０７もしくは０ｘ０９のいずれか一つに設定されてもよい。ｓｅｒｖｉｃｅ＿ｔｙｐｅが０ｘ０２に設定された場合、ＴＶＣＴは、ｓｅｒｖｉｃｅ ｌｏｃａｔｉｏｎ ｄｅｓｃｒｉｐｔｏｒおよびＵＨＤ ｌｉｎｋａｇｅ ｄｅｓｃｒｉｐｔｏｒを含むことができる。ｓｅｒｖｉｃｅ＿ｔｙｐｅが０ｘ０７に設定された場合、ＴＶＣＴはｃｏｍｐｏｎｅｎｔ ｌｉｓｔ ｄｅｓｃｒｉｐｔｏｒ、ｓｅｒｖｉｃｅ ｌｏｃａｔｉｏｎ ｄｅｓｃｒｉｐｔｏｒおよびＵＨＤ ｌｉｎｋａｇｅ ｄｅｓｃｒｉｐｔｏｒを含むことができる。ｓｅｒｖｉｃｅ＿ｔｙｐｅが０ｘ０９に設定された場合、ＴＶＣＴは、ｃｏｍｐｏｎｅｎｔ ｌｉｓｔ ｄｅｓｃｒｉｐｔｏｒ、ｐａｒａｍｅｔｅｒｉｚｅｄ ｓｅｒｖｉｃｅ ｄｅｓｃｒｉｐｔｏｒ、ｓｅｒｖｉｃｅ ｌｏｃａｔｉｏｎ ｄｅｓｃｒｉｐｔｏｒおよびＵＨＤ ｌｉｎｋａｇｅ ｄｅｓｃｒｉｐｔｏｒを含むことができる。ｄｅｓｃｒｉｐｔｏｒに含まれる具体的な情報については後述する。
【０１６１】
図１１は、本発明の一実施例に係る重複チャネルシグナリング情報を例示する図である。
【０１６２】
上述したとおり、送信装置がＵＨＤビデオ信号以外の信号（Non-UHD）を送信する場合、受信装置がＵＨＤビデオ信号を受信するためには、チャネル切替およびこれに関するシグナリング情報が必要である。したがって、ＵＨＤ＿ｌｉｎｋａｇｅ＿ｄｅｓｃｒｉｐｔｏｒは、ＳＤもしくはＨＤチャネルと関連したシグナリング情報に含まれ、当該ＳＤもしくはＨＤチャネルに対応するＵＨＤチャネルの存在および詳細情報をシグナリングすることができる。すなわち、ＳＤもしくはＨＤチャネルで伝送されるＴＶＣＴ、ＣＶＣＴもしくはＥＩＴは、当該チャネルに対応するＵＨＤチャネルもしくはイベント情報をシグナリングすることができる。
【０１６３】
一実施例として、ＵＨＤ＿ｌｉｎｋａｇｅ＿ｄｅｓｃｒｉｐｔｏｒは次のような情報を含むことができる。
【０１６４】
ｄｅｓｃｒｉｐｔｏｒ＿ｔａｇは、このディスクリプタを識別する識別子を含むことができ、ｄｅｓｃｒｉｐｔｏｒ＿ｌｅｎｇｔｈはディスクリプタの長さを示す。
【０１６５】
ＵＨＤ＿ｖｅｒｓｉｏｎ＿ｅｘｉｓｔ＿ｆｌａｇは、現在のチャネルもしくはイベントに対応するＵＨＤチャネルもしくはイベントが提供されるか否かを示す。
【０１６６】
ＵＨＤ＿ｌｉｎｋａｇｅ＿ｉｎｆｏは、ＵＨＤ＿ｖｅｒｓｉｏｎ＿ｅｘｉｓｔ＿ｆｌａｇの次に位置することができる。ＵＨＤ＿ｌｉｎｋａｇｅ＿ｉｎｆｏは、次のような情報を含むことができる。
【０１６７】
ＵＨＤ＿ｉｎ＿ｏｔｈｅｒ＿ｍｕｘ＿ｆｌａｇは、現在のチャネルに対応するＵＨＤチャネルもしくはイベントが他のＴＳ（もしくは、他の物理チャネル（physical channel））を介して伝送されるか否かを示す。
【０１６８】
ＵＨＤ＿ｓｅｒｖｉｃｅ＿ｔｙｐｅは、ＵＨＤサービスの種類を示す。ＵＨＤ＿ｓｅｒｖｉｃｅ＿ｔｙｐｅは、受信装置がリンクされたチャネルに対するデコーディングが可能か否かを判断できる情報を提供する。０ｘ０１なら４Ｋ３０Ｈｚ、０ｘ０２なら４Ｋ６０Ｈｚ、０ｘ０３なら８Ｋ６０Ｈｚなどの値に設定されてもよい。
【０１６９】
ＵＨＤ＿ｔｒａｎｓｐｏｒｔ＿ｓｔｒｅａｍ＿ｉｄは、ＵＨＤチャネルに対するＰＡＴのｔｒａｎｓｐｏｒｔ＿ｓｔｒｅａｍ＿ｉｄを示し、物理伝送チャネル（physical transmission channel）を区別する役割を担う。
【０１７０】
ＵＨＤ＿ｍｏｄｕｌａｔｉｏｎ＿ｍｏｄｅは、ＵＨＤチャネルに対する変調モード（modulation mode）を示し、ＡＴＳＣ８−ＶＳＢ、６４−ＱＡＭ、２５６−ＱＡＭなどの情報を示す。
【０１７１】
ＵＨＤ＿ｃａｒｒｉｅｒ＿ｆｒｅｑｕｅｎｃｙは、ＵＨＤチャネルのキャリア周波数（carrier frequency）を示し、実際の物理伝送チャネルの周波数を意味する。
【０１７２】
ＵＨＤ＿ｃｈａｎｎｅｌ＿ＴＳＩＤは、現在のチャネルに対応するＵＨＤチャネルを構成するプログラムのＴＳ ＩＤを示す。すなわち、対応するＵＨＤチャネルを構成するエレメンタリストリームが伝送されるＭＰＥＧ−２ＴＳのＩＤを示す。
【０１７３】
ＵＨＤ＿ｓｏｕｒｃｅ＿ｉｄは、現在のチャネルに対応するＵＨＤチャネルに対するソースｉｄを示す。
【０１７４】
ＵＨＤ＿ｍａｊｏｒ＿ｃｈａｎｎｅｌ＿ｎｕｍｂｅｒおよびＵＨＤ＿ｍｉｎｏｒ＿ｃｈａｎｎｅｌ＿ｎｕｍｂｅｒは、現在のチャネルに対応するＵＨＤチャネルに対するｍａｊｏｒ ｃｈａｎｎｅｌ ｎｕｍｂｅｒおよびｍｉｎｏｒ ｃｈａｎｎｅｌ ｎｕｍｂｅｒを示す。
【０１７５】
図１２は、本発明の他の実施例に係る、ＵＨＤサービスを提供するためのシグナリング情報を説明する図である。
【０１７６】
ＡＴＳＣ仮想チャネルでＵＨＤビデオがサービスされるか否かは、下記のように２種類の方法でシグナリングすることができる。
【０１７７】
一番目は、ｓｅｒｖｉｃｅ＿ｔｙｐｅを０ｘ０７に設定し、ｃｏｍｐｏｎｅｎｔ ｌｉｓｔ ｄｅｓｃｒｉｐｔｏｒを用いてＵＨＤビデオサービスに関する情報をシグナリングする方法である。
【０１７８】
これは、ＵＨＤに特化されたサービスシグナリングというよりは、一般に、ＨＥＶＣを用いたビデオサービスに関する情報をシグナリングする方法であり、４Ｋかもしくは８Ｋかは、ｓｔｒｅａｍ＿ｉｎｆｏ＿ｄｅｔａｉｌディスクリプタに含まれた情報からわかる。
【０１７９】
二番目は、ｓｅｒｖｉｃｅ＿ｔｙｐｅを０ｘ０９に設定し、ｃｏｍｐｏｎｅｎｔ ｌｉｓｔ ｄｅｓｃｒｉｐｔｏｒを用いてＵＨＤビデオサービスに関する情報をシグナリングする方法である。このとき、ｓｅｒｖｉｃｅ＿ｔｙｐｅは、ｅｘｔｅｎｄｅｄ ｐａｒａｍｅｔｅｒｉｚｅｄ ｓｅｒｖｉｃｅ（ｓｅｒｖｉｃｅ＿ｔｙｐｅ＝０ｘ０９）に設定されてもよい。この場合、より具体的には、ＵＨＤサービスに関する情報を記述（description）することができる。すなわち、同一のＨＥＶＣを使用する場合であっても、二番目の方法がＵＨＤに特化したサービスであることを示すことができる。この場合、ｐａｒａｍｅｔｅｒｉｚｅｄ ｓｅｒｖｉｃｅ ｄｅｓｃｒｉｐｔｏｒを共に用いて具体的な情報を含めなければならない。
【０１８０】
ｃｏｍｐｏｎｅｎｔ＿ｌｉｓｔ＿ｄｅｓｃｒｉｐｔｏｒには次のような情報を含めることができる。
【０１８１】
ｄｅｓｃｒｉｐｔｏｒ＿ｔａｇフィールドは、このディスクリプタを識別する識別子を含むことができ、ｄｅｓｃｒｉｐｔｏｒ＿ｌｅｎｇｔｈフィールドはディスクリプタの長さを示す。
【０１８２】
ａｌｔｅｒｎａｔｅフィールドは、１にセットされると、ｃｏｍｐｏｎｅｎｔ ｌｉｓｔ ｄｅｓｃｒｉｐｔｏｒのインスタンス（instance）が二番目であることを示し、０にセットされると、このｄｅｓｃｒｉｐｔｏｒのインスタンスが一番目であることを示す。(A flag that indicates, when set to '1', that this instance of the component_list_descriptor() is a second, "alternate" description of streams associated with the virtual channel. When the flag is set to '0', the set of stream types in the instance of the descriptor is the "primary" or "preferred" set. If only one component_list_descriptor() appears in the descriptor loop, the value of the alternate flag shall be set to '0'.)
【０１８３】
ｃｏｍｐｏｎｅｎｔ＿ｃｏｕｎｔフィールドは、次に位置するループ内で特定されるコンポーネントの数を特定する。(This 7-bit unsigned integer shall specify the number of components specified in the "for" loop to follow. The value shall be in the range of 1 to 36.)
【０１８４】
ｓｔｒｅａｍ＿ｔｙｐｅフィールドは、ループの繰り返し文内に記述されるコンポーネント（component described in this iteration of the loop）と関連したストリームタイプを示す。(This 8-bit unsigned integer field shall indicate the stream_type associated with the component described in this iteration of the "for" loop. Stream types in the range 0xC4 to 0xFF identify stream types defined privately.)一実施例として、ＨＥＶＣの場合、ｓｔｒｅａｍ＿ｔｙｐｅは０ｘ２４に設定されてもよい。
【０１８５】
ｆｏｒｍａｔ＿ｉｄｅｎｔｉｆｉｅｒフィールドは、ｓｔｒｅａｍ＿ｔｙｐｅ値を提供するエンティティを識別する。(This 32-bit unsigned integer shall identify the entity providing the stream_type value.)
【０１８６】
ｌｅｎｇｔｈ＿ｏｆ＿ｄｅｔａｉｌｓフィールドは、次のｓｔｒｅａｍ＿ｉｎｆｏ＿ｄｅｔａｉｌｓフィールドの定義された長さを特定する。(This 8-bit unsigned integer shall specify the length, in bytes, of the defined length of the stream_info_details() field to follow.)
【０１８７】
ｓｔｒｅａｍ＿ｉｎｆｏ＿ｄｅｔａｉｌｓフィールドは、前のｓｔｒｅａｍ＿ｔｙｐｅフィールド値によって識別されたコンポーネントに関係する追加情報を提供する。(This field shall provide further information pertaining to the component identified by the value in the preceding stream_type field.)ｓｔｒｅａｍ＿ｉｎｆｏ＿ｄｅｔａｉｌｓフィールドは、次のような情報を含むことができる。
【０１８８】
ｐｒｏｆｉｌｅは、ＨＥＶＣコーデックのｐｒｏｆｉｌｅ値を意味し、Ｍａｉｎ ＰｒｏｆｉｌｅもしくはＭａｉｎ １０ Ｐｒｏｆｉｌｅなどの値を有することができる。
【０１８９】
ｔｉｅｒは、ｌｅｖｅｌと共に用いられ、最大ビットレートを制約する。一般に、放送の場合、Ｍａｉｎ ｔｉｅｒと指定される。
【０１９０】
ｌｅｖｅｌは、３８４０ｘ２１６０、３０Ｈｚの場合はＬｅｖｅｌ ５．０、３８４０ｘ２１６０、６０Ｈｚの場合はＬｅｖｅｌ ５．１と指定されてもよい。
【０１９１】
図１３は、本発明の他の実施例に係る、ＵＨＤサービスを提供するための他のシグナリング情報を説明する図である。上述したとおり、ｓｅｒｖｉｃｅ＿ｔｙｐｅは、ｅｘｔｅｎｄｅｄ ｐａｒａｍｅｔｅｒｉｚｅｄ ｓｅｒｖｉｃｅ（ｓｅｒｖｉｃｅ＿ｔｙｐｅ＝０ｘ０９）に設定することができる。この場合、ｐａｒａｍｅｔｅｒｉｚｅｄ ｓｅｒｖｉｃｅ ｄｅｓｃｒｉｐｔｏｒを共に使用して具体的な情報を含めなければならない。ｐａｒａｍｅｔｅｒｉｚｅｄ ｓｅｒｖｉｃｅ ｄｅｓｃｒｉｐｔｏｒは、次のような情報を含むことができる。
【０１９２】
ｄｅｓｃｒｉｐｔｏｒ＿ｔａｇは、現在のディスクリプタを識別する識別子を含むことができ、ｄｅｓｃｒｉｐｔｏｒ＿ｌｅｎｇｔｈはディスクリプタの長さを示す。
【０１９３】
ａｐｐｌｉｃａｔｉｏｎ＿ｔａｇは、次に位置するａｐｐｌｉｃａｔｉｏｎ＿ｄａｔａのｓｙｎｔａｘやｓｅｍａｎｔｉｃｓと関連したアプリケーションを識別する。(This 8-bit unsigned integer shall uniquely identify the application associated with the syntax and semantics of the application_data to follow.)一実施例として、ａｐｐｌｉｃａｔｉｏｎ＿ｔａｇ値が０ｘ０２である場合は、ＵＨＤサービスを示すことができる。
【０１９４】
ａｐｐｌｉｃａｔｉｏｎ＿ｄａｔａは、関連したａｐｐｌｉｃａｔｉｏｎ＿ｔａｇ値によって設定される。(The syntax and semantics of this field shall be as specified in the standard that establishes the associated application_tag value.）一実施例として、ａｐｐｌｉｃａｔｉｏｎ＿ｔａｇ値が０ｘ０２である場合、ＵＨＤ ｍｅｔａｄａｔａフィールドを含むことができる。ＵＨＤ＿ｍｅｔａｄａｔａフィールドは、図８で説明したとおりである。すなわち、ＵＨＤ＿ｍｅｔａｄａｔａフィールドは、ＵＨＤ＿ｖｉｄｅｏ＿ｃｏｄｅｃ＿ｔｙｐｅ、ＵＨＤ＿ｖｉｄｅｏ＿ｐｒｏｆｉｌｅ、ＵＨＤ＿ｖｉｄｅｏ＿ｌｅｖｅｌ、ＵＨＤ＿ｖｉｄｅｏ＿ｒｅｓｏｌｕｔｉｏｎ、ＵＨＤ＿ｖｉｄｅｏ＿ｆｒａｍｅｒａｔｅ、ＵＨＤ＿ｖｉｄｅｏ＿ｂｉｔｄｅｐｔｈ、ＵＨＤ＿ｖｉｄｅｏ＿ｃｈｒｏｍａ＿ｓａｍｐｌｉｎｇ、ＵＨＤ＿ｖｉｄｅｏ＿ａｓｐｅｃｔｒａｔｉｏおよびＵＨＤ＿ｖｉｄｅｏ＿ｔｉｅｒ情報を含むことができる。
【０１９５】
図１４は、本発明の他の実施例に係る重複チャネルシグナリング情報を例示する図である。
【０１９６】
本発明は、重複チャネルをＤＣＣＴ（Direct Channel Change Table）を用いてシグナリングし、ＤＣＣＴの設定によって自動的にＵＨＤチャネルへと現在のチャネルを移動させる（変更する）（change）ことができる。ＤＣＣＴは、特定の条件を満たすと、自動的にチャネルが変更されるようにセットされてもよく、ｄｃｃ＿ｓｅｌｅｃｔｉｏｎ＿ｔｙｐｅおよびｄｃｃ＿ｓｅｌｅｃｔｉｏｎ＿ｉｄフィールドを含むＤＣＣ ｒｅｑｕｅｓｔ ｔｅｒｍを含むことができる。本発明は、一実施例として、ｄｃｃ＿ｓｅｌｅｃｔｉｏｎ＿ｔｙｐｅおよびｄｃｃ＿ｓｅｌｅｃｔｉｏｎ＿ｉｄのシグナリング情報にＵＨＤサービスのための細部情報を含めることによって、ＵＨＤサービスチャネルへと現在のチャネルを自動変更することができる。他の実施例として、重複チャネルシグナリング方法は、ｄｃｃ＿ｓｕｂｔｙｐｅにＵＨＤサービスチャネル情報を含めることによって、受信装置がＵＨＤサービスを行うように自動チャネル切替に関連した情報をシグナリングすることができる。
【０１９７】
ＤＣＣＴに含まれる情報を説明すると、次のとおりである。
【０１９８】
ｔａｂｌｅ＿ｉｄフィールドは、テーブルタイプを示す。図１４で示すテーブルはＤＣＣＴであるから、ｔａｂｌｅ＿ｉｄは０ｘＤ３値を有する。
【０１９９】
ｓｅｃｔｉｏｎ＿ｓｙｎｔａｘ＿ｉｎｄｉｃａｔｏｒフィールドは、ＭＰＥＧ−２ ｐｒｉｖａｔｅ＿ｓｅｃｔｉｏｎテーブルの“ｌｏｎｇ”形態を示すために１にセットされる１ビットフィールドである。(This 1-bit field shall be set to '1' to always indicate the "long" form of the MPEG-2 private_section table.)
【０２００】
ｐｒｉｖａｔｅ＿ｉｎｄｉｃａｔｏｒフィールドは、１にセットされる１ビットフィールドである。(This 1-bit field shall be set to '1'.)
【０２０１】
ｓｅｃｔｉｏｎ＿ｌｅｎｇｔｈフィールドは、このフィールド以降のテーブルセクションの長さをバイト数で示す。(This is a 12-bit field, the first two bits of which shall be "00". It specifies the number of bytes of the section, starting immediately following the section_length field and including the CRC. The section_length shall not exceed 1021 so that the entire section has a maximum length of 1024 bytes.)
【０２０２】
ｄｃｃ＿ｓｕｂｔｙｐｅフィールドは、８ビットでＤＣＣ（Direct Channel Change）の種類を示す。一実施例として、ＵＨＤサービスに対するＤＣＣ ｔｙｐｅを０ｘ０１と定義することができる。すなわち、本発明は、ｄｃｃ＿ｓｕｂｔｙｐｅフィールドが０ｘ０１である場合、ＵＨＤチャネルへと自動チャネル切替を行い、ＵＨＤサービスが可能である。
【０２０３】
ｄｃｃ＿ｉｄフィールドは、ｔａｂｌｅ  ｓｅｃｔｉｏｎのためのＭａｓｔｅｒ Ｇｕｉｄｅ ｔａｂｌｅ ｅｎｔｒｙを生成するために用いられる。(The dcc_id is an 8-bit unsigned integer field (starting at bit index 32) in a Directed Channel Change Selection Code table section and is used in creating the Master Guide table entry for the table section.)
【０２０４】
ｖｅｒｓｉｏｎ＿ｎｕｍｂｅｒフィールドは、テーブルのバージョン番号を示す５ビットフィールドである。 (This 5-bit field is the version number of the PSIP_section. The version_number shall be incremented by 1 modulo 32 when a change in the information carried within the PSIP_section occurs. When the current_next_indicator is set to '0', then the version_number shall be that of the next applicable PSIP_section with the same table_id, table_id_extension, and section_number.)
【０２０５】
ｃｕｒｒｅｎｔ＿ｎｅｘｔ＿ｉｎｄｉｃａｔｏｒフィールドは、１ビットフィールドであり、このテーブルが現在適用可能かもしくは次に適用可能かを示す。(A 1-bit field, which when set to '1' indicates that the PSIP_section sent is currently applicable. When the current_next_indicator is set to '1', then the version_number shall be that of the currently applicable PSIP_section. When the bit is set to '0', it indicates that the PSIP_section sent is not yet applicable and shall be the next PSIP_section with the same section_number, table_id_extension, and table_id to become valid.)
【０２０６】
ｓｅｃｔｉｏｎ＿ｎｕｍｂｅｒフィールドはセクションの番号を示す。(This 8-bit field gives the number of the PSIP_section. The section_number of the first section in a PSIP table shall be 0x00. The section_number shall be incremented by 1 with each additional section in PSIP table. The scope of the section_number shall be defined by the table_id and table_id_extension. That is, for each PSIP table and value of the table_id_extension field, there is the potential for the full range of section_number values.)
【０２０７】
ｌａｓｔ＿ｓｅｃｔｉｏｎ＿ｎｕｍｂｅｒフィールドは、最後のセクションの番号を特定する。(This 8-bit field specifies the number of the last section (that is, the section with the highest section_number) of the PSIP table of which this section is a part. Its scope is the same as for the section_number field.)
【０２０８】
ｐｒｏｔｏｃｏｌ＿ｖｅｒｓｉｏｎフィールドは、現在のプロトコルで定義されたパラメータと異なるパラメータを、現在のテーブルタイプが後で持つことができるようにするための機能を有するフィールドである。(An 8-bit unsigned integer field whose function is to allow, in the future, this table type to carry parameters that may be structured differently than those defined in the current protocol. At present, the only valid value for protocol_version is zero. Non-zero values of protocol_version may be used by a future version of this standard to indicate structurally different tables.)
【０２０９】
ｄｃｃ＿ｔｅｓｔ＿ｃｏｕｎｔフィールドは、ＤＣＣＴ ｓｅｃｔｉｏｎでＤＣＣの数を示す。(The dcc_test_count is the number of Directed Channel Changes in a DCCT section)
【０２１０】
ｄｃｃ＿ｃｏｎｔｅｘｔフィールドは、０にセットされる場合、特定の条件を満たすまで、受信装置が移動先のチャネルに関する情報を取得し、１にセットされる場合、受信装置が移動先のチャネルにチューニングする機能を有する。(0x0(Temporary Retune) - Acquire the "to channel" and until user changes channel, end time is reached, or DCC is cancelled by a Return to Original Channel. Original Channel number/"from" channel number No, except to signal return to original channel, 0x1(Channel Redirect) - Tune to the "to channel" )
【０２１１】
ｄｃｃ＿ｆｒｏｍ＿ｍａｊｏｒ＿ｃｈａｎｎｅｌ＿ｎｕｍｂｅｒフィールドは、ＤＣＣテストの出発点（地）（移動元、変更元）（starting point）と関連したメジャーチャネルの番号を示す。(The dcc_from_major_channel_number is a 10-bit field that gives highest order digits of the channel number from which a Directed Channel Change test applies.)
【０２１２】
ｄｃｃ＿ｆｒｏｍ＿ｍｉｎｏｒ＿ｃｈａｎｎｅｌ＿ｎｕｍｂｅｒフィールドは、ＤＣＣテストの出発点と関連したマイナーチャネルの番号を示す。(The dcc_from_minor_channel_number is a 10-bit "minor_channel_number" field that gives low order bits of the channel number from which the Directed Channel Change test applies.)
【０２１３】
ｄｃｃ＿ｔｏ＿ｍａｊｏｒ＿ｃｈａｎｎｅｌ＿ｎｕｍｂｅｒフィールドは、ＤＣＣテストの宛て先（移動先、変更先）（destination）と関連したメジャーチャネルの番号を示す。(The dcc_to_major_channel_number is a 10-bit field that gives highest order digits of the channel number which is the destination of a Directed Channel Change test.)
【０２１４】
ｄｃｃ＿ｔｏ＿ｍｉｎｏｒ＿ｃｈａｎｎｅｌ＿ｎｕｍｂｅｒフィールドは、ＤＣＣテストの宛て先と関連したマイナーチャネルの番号を示す。(The dcc_to_minor_channel_number is a 10-bit field that gives lowest order digits of the channel number which is the destination of a Directed Channel Change test.)
【０２１５】
ｄｃｃ＿ｓｔａｒｔ＿ｔｉｍｅフィールドは、システム時間として表現されるＤＣＣテストの名目上の開始時間を示す。(The dcc_start_time is a 32-bit unsigned integer field with the nominal start time of the DCC test, expressed as system_time.)
【０２１６】
ｄｃｃ＿ｅｎｄ＿ｔｉｍｅフィールドは、システム時間として表現されるＤＣＣテストの終了予定時間を示す。(The dcc_end_time is a 32-bit unsigned integer field that carries the time at which, if not previously cancelled, the DCC test will end, expressed as system_time.)
【０２１７】
ｄｃｃ＿ｔｅｒｍ＿ｃｏｕｎｔフィールドは、ＤＣＣテストの条件の数を示す。(The dcc_term_count is an 8-bit field with the number of terms in the Directed Channel Change test.)
【０２１８】
ｄｃｃ＿ｓｅｌｅｃｔｉｏｎ＿ｔｙｐｅは、ｄｃｃ＿ｓｅｌｅｃｔｉｏｎ＿ｉｄを含むｔｙｐｅを示す。ｄｃｃ＿ｓｅｌｅｃｔｉｏｎ＿ｔｙｐｅは、一つの割り当てる情報としてＵＨＤサービスを割り当てることができる。一実施例として、ＵＨＤサービスは０ｘ２４と割り当てられてもよい。
【０２１９】
ｄｃｃ＿ｓｅｌｅｃｔｉｏｎ＿ｉｄフィールドは、ｄｃｃ＿ｓｅｌｅｃｔｉｏｎ＿ｔｙｐｅで区別されるデータを含む。ＵＨＤサービスカテゴリー内にｄｃｃ＿ｓｅｌｅｃｔｉｏｎ＿ｉｄはＵＨＤ関連情報を含むことができる。一実施例として、ｄｃｃ＿ｓｅｌｅｃｔｉｏｎ＿ｉｄは、ＵＨＤサービスの範囲を示す解像度、フレームレート、ビット深さ、アスペクト比などの情報を含むことができる。
【０２２０】
ｄｃｃ＿ｔｅｒｍ＿ｄｅｓｃｒｉｐｔｏｒｓ＿ｌｅｎｇｔｈフィールドは、次のフィールド内のディスクリプタループの長さを示す。(The dcc_term_descriptors_length is a 10-bit unsigned integer field signaling the length of the descriptor loop in the following field.)
【０２２１】
ｄｃｃ＿ｔｅｒｍ＿ｄｅｓｃｒｉｐｔｏｒは、追加のｄｅｓｃｒｉｐｔｏｒを含むことができる。
【０２２２】
ｄｃｃ＿ｔｅｓｔ＿ｄｅｓｃｒｉｐｔｏｒｓ＿ｌｅｎｇｔｈフィールドは、ｄｃｃテストのための次のフィールド内のディスクリプタループの長さを示す。(The dcc_test_descriptors_length is a 10-bit unsigned integer field carrying the length of the descriptor loop in the next field for this dcc test.)
【０２２３】
ｄｃｃ＿ｔｅｓｔ＿ｄｅｓｃｒｉｐｔｏｒは、追加のｄｅｓｃｒｉｐｔｏｒを含むことができる。
【０２２４】
図１５は、本発明の他の実施例に係る、ＵＨＤチャネルに移動するための一つのシグナリング情報を例示する図である。図１５は、図１４で説明したｄｃｃ ｓｅｌｅｃｔｉｏｎ ｔｙｐｅの割り当てられた情報を示す。
【０２２５】
例えば、ｄｃｃ＿ｓｅｌｅｃｔｉｏｎ＿ｔｙｐｅが０ｘ００である場合、無条件でチャネルが転換される（移動する）（unconditional channel change）ことを示す。ｄｃｃ＿ｓｅｌｅｃｔｉｏｎ＿ｔｙｐｅが０ｘ２０−０ｘ２３である場合、ユーザの直接（ダイレクト）選択によってチャネルが転換される（移動する）（viewer direct select）ことを示す。一実施例として、ｄｃｃ＿ｓｅｌｅｃｔｉｏｎ＿ｔｙｐｅの値０ｘ２４は、ＵＨＤチャネルにｄｃｃ（direct channel change）されることを示すことができる。
【０２２６】
図１６は、本発明の他の実施例に係る、ＵＨＤチャネルに移動するための具体的なシグナリング情報を例示する図である。図１６には、ｄｃｃ＿ｓｅｌｅｃｔｉｏｎ＿ｔｙｐｅがＵＨＤサービス（例えば、０ｘ２４）として割り当てられたｄｃｃ＿ｓｅｌｅｃｔｉｏｎ＿ｉｄ構成の例が示されている。
【０２２７】
ｄｃｃ＿ｓｅｌｅｃｔｉｏｎ＿ｔｙｐｅがＵＨＤサービスとして設定された場合、図１６に示すように、ｄｃｃ＿ｓｅｌｅｃｔｉｏｎ＿ｉｄを合計６４ビットで構成することができる。ＵＨＤ＿ｃｏｄｅに定義された内容は、図８で説明したＵＨＤ＿ｍｅｔａｄａｔａの内容と同一である。ただし、受信装置は下位ｔｙｐｅも含まなければならないことから、一種のマスクビットの形態で表現されなければならない。すなわち、ｄｃｃ＿ｓｅｌｅｃｔｉｏｎ＿ｉｄは、各ビットごとにモードが指定され、このビットが１であれば、当該モードを支援し、０であれば、支援しない。したがって、ＵＨＤ＿ｍｅｔａｄａｔａで割り当てたビットとは異なる。
【０２２８】
ＵＨＤ＿ｖｉｄｅｏ＿ｂｉｔｄｅｐｔｈを取り上げると、００００１（８ビットのみ）、０００１０（１０ビットのみ）、００１００（１２ビットのみ）、０１０００（１４ビットのみ）、１００００（１６ビットのみ）で表示することができ、８ビット、１０ビット、１２ビットを全て受信できる受信装置のために、００１１１（８、１０、１２ビット）でＵＨＤ＿ｖｉｄｅｏ＿ｂｉｔｄｅｐｔｈをシグナリングすることができる。他のフィールドもこれと同様にシグナリングされてもよい。
【０２２９】
図１７は、本発明の他の実施例に係る、ＵＨＤチャネルに移動するための追加情報をシグナリングする例を説明する図である。
【０２３０】
ｄｃｃ＿ｓｅｌｅｃｔｉｏｎ＿ｔｙｐｅがＵＨＤサービスとして設定された場合、ｄｃｃ＿ｔｅｓｔ＿ｄｅｓｃｒｉｐｔｏｒは、自動チャネル切替のための追加情報をシグナリングすることができる。ＵＨＤ＿ｌｉｎｋａｇｅ＿ｉｎｆｏは、図１１で説明したＵＨＤ＿ｌｉｎｋａｇｅ＿ｄｅｓｃｒｉｐｔｏｒのＵＨＤ＿ｌｉｎｋａｇｅ＿ｉｎｆｏの一部の内容と同一であってもよい。すなわち、ＵＨＤ＿ｌｉｎｋａｇｅ＿ｄｅｓｃｒｉｐｔｏｒのＵＨＤ＿ｌｉｎｋａｇｅ＿ｉｎｆｏに含まれた情報のうち、ｍａｊｏｒ＿ｃｈａｎｎｅｌ＿ｎｕｍｂｅｒおよびｍｉｎｏｒ＿ｃｈａｎｎｅｌ＿ｎｕｍｂｅｒが含まれず、これらの２つの情報はＤＣＣＴで定義されてもよい。
【０２３１】
図１８は、本発明の一実施例に係る信号受信装置を説明する図である。
【０２３２】
本発明に係る信号受信装置は、クリアカムチューナ４１０、逆多重化部４２０、シグナリング情報復号部４４０、およびリソース復号部５００を備え、選択的にチャネルマネージャ４３０を備えることができる。
【０２３３】
クリアカムチューナ４１０は、暗号化されていない（非暗号化）デジタルケーブルチャネルストリームを受信する。
【０２３４】
逆多重化部４２０は、放送ストリームを逆多重化して、シグナリング情報、ビデオストリームおよびオーディオストリームをそれぞれ逆多重化することができる。
【０２３５】
シグナリング情報復号部４４０は、セクションデータなどのシグナリング情報を復号することができる。
【０２３６】
リソース復号部５００は、ビデオバッファ５１０、ビデオデコーダ５２０、ビデオプロセッサ５３０、同期化部５４０、オーディオバッファ５５０、オーディオデコーダ５６０およびオーディオプロセッサ５７０を備えることができる。
【０２３７】
シグナリング情報復号部４４０がＵＨＤサービスを識別する実施例を開示する。
【０２３８】
まず、第１実施例では、ＣＶＣＴを用いてＵＨＤサービスを識別することができる。
【０２３９】
シグナリング情報復号部４４０は、ＣＶＣＴ内のＡＴＳＣ＿ｐｒｉｖａｔｅ＿ｉｎｆｏｒｍａｔｉｏｎ＿ｄｅｓｃｒｉｐｔｏｒから、ＵＨＤサービスが提供されることを識別することができる。そして、ＵＨＤ＿ｄｅｓｃｒｉｐｔｏｒが存在する場合、ＵＨＤサービスを提供するために含まれたビデオのコーデックの種類、解像度、クロマサンプリング、ビット深さ情報を識別することができる。
【０２４０】
シグナリング情報復号部４４０は、ＵＨＤ＿ｄｅｓｃｒｉｐｔｏｒに含まれた情報を復号した場合、信号受信装置の一実施例もしくはリソースデコーダ５００がそれを用いて当該ＵＨＤサービスで提供するビデオストリームもしくはオーディオストリームをデコードできるか否かを判断することができる。
【０２４１】
シグナリング情報復号部４４０は、当該サービスに含まれたビデオストリームおよびオーディオストリームを取得するためのＰＩＤ値をＰＭＴから得ることができる。そして、ＰＭＴから識別したＰＩＤ値を用いて当該ＰＩＤストリームをビデオおよびオーディオデコーダに送ってデコードすることができる。
【０２４２】
第２実施例によれば、ＴＶＣＴを用いてＵＨＤサービスを識別することができる。ＣＶＣＴ内にＡＴＳＣ＿ｐｒｉｖａｔｅ＿ｉｎｆｏｒｍａｔｉｏｎ＿ｄｅｓｃｒｉｐｔｏｒが含まれていない場合、ＴＶＣＴを受信してＵＨＤサービスを識別することができる。
【０２４３】
シグナリング情報復号部４４０は、ＴＶＣＴに含まれたサービスタイプおよびディスクリプタを用いて、ＵＨＤ放送サービスを提供するイベントに関する情報を識別する。ＵＨＤサービスが受信される場合、サービスタイプ値によってｃｏｍｐｏｎｅｎｔ＿ｌｉｓｔ＿ｄｅｓｃｒｉｐｔｏｒ、ＵＨＤ＿ｄｅｓｃｒｉｐｔｏｒ、ｐａｒａｍｅｔｅｒｉｚｅｄ＿ｓｅｒｖｉｃｅ＿ｄｅｓｃｒｉｐｔｏｒに含まれた各イベントを識別するビデオ仕様情報およびオーディオ仕様情報を識別する。シグナリング情報復号部４４０は、これに基づいて信号受信装置の一実施例もしくはリソースデコーダ５００が当該イベントをデコードできるか否かを識別することができる。
【０２４４】
第３実施例によれば、ＵＨＤ＿ｌｉｎｋａｇｅ＿ｄｅｓｃｒｉｐｔｏｒを用いてＵＨＤサービスを識別することができる。信号受信装置がＳＤもしくはＨＤサービスを受信する場合、シグナリング情報復号部４４０は、受信されるＳＤもしくはＨＤチャネルに含まれたＵＨＤ＿ｌｉｎｋａｇｅ＿ｄｅｓｃｒｉｐｔｏｒを用いて、対応するＵＨＤチャネルの存在および詳細情報を識別することができる。
【０２４５】
すなわち、シグナリング情報復号部４４０は、ｌｉｎｋａｇｅ ｄｅｓｃｒｉｐｔｏｒ内のｓｅｒｖｉｃｅ＿ｔｙｐｅフィールド値が０ｘ０２、０ｘ０７もしくは０ｘ０９である場合、ＳＤもしくはＨＤイベントとリンクされたＵＨＤ放送イベントもしくはサービスを識別することができる。シグナリング情報復号部４４０は、リンクされたＵＨＤ放送イベントもしくはサービスを詳細に識別できるＵＨＤ＿ｌｉｎｋａｇｅ＿ｉｎｆｏ（）を復号することができる。
【０２４６】
第４実施例によれば、ＤＣＣＴを用いてＵＨＤサービスを識別し、自動的にＵＨＤチャネルに移動することができる。
【０２４７】
シグナリング情報復号部４４０は、ｄｃｃ＿ｓｕｂｔｙｐｅもしくはｄｃｃ＿ｓｅｌｅｃｔｉｏｎ＿ｔｙｐｅで設定されたＵＨＤイベントに関する情報を認識し、これに関連したｄｃｃ＿ｓｅｌｅｃｔｉｏｎ＿ｉｄおよびＵＨＤ＿ｌｉｎｋａｇｅ＿ｉｎｆｏ内に含まれた情報を復号する。この場合、受信装置は、識別されたＵＨＤチャネルに自動的に移動して、ＨＤサービスを行うことができる。
【０２４８】
リソースデコーダ５００は、ビデオバッファ５１０、ビデオデコーダ５２０、ビデオプロセッサ５３０、同期化部５４０、オーディオバッファ５５０、オーディオデコーダ５６０およびオーディオプロセッサ５７０を備えることができる。
【０２４９】
逆多重化部４２０が逆多重化したビデオストリームは、ビデオバッファ５１０に入力されてもよい。ここでは、ビデオストリームがＵＨＤビデオエレメンタリストリームを含むＰＥＳパケットとなり得ることを例示する。ビデオバッファ５１０は、入力されたビデオストリームのビデオデータを一時的に保存することができる。
【０２５０】
ビデオデコーダ５２０は、ビデオバッファ５１０に保存されたビデオデータを一定の単位で受け取ってビデオデコーディングを行うことができる。例えば、この例は４Ｋビデオデータを復号するデコーダを例示したが、８Ｋもしくは１６Ｋなどのビデオデータも出力することができる。
【０２５１】
例えば、ビデオデコーダ５２０は、復号されたシグナリング情報に基づいてビデオデータの特性によって当該ビデオデータをデコードすることができる。
【０２５２】
ビデオプロセッサ５３０は、デコードされたビデオデータに対して後処理作業を行うことができる。これによって、復号されたビデオデータが自然に表示（ディスプレイ）されるように調節することができる。
【０２５３】
一方、逆多重化部４２０が逆多重化したオーディオストリームはオーディオバッファ５５０に入力されてもよい。ここでは、オーディオストリームはＵＨＤオーディオエレメンタリストリームを含むＰＥＳパケットになり得ることを例示した。オーディオバッファ５５０は、入力されたオーディオデータを一時的に保存することができる。
【０２５４】
オーディオデコーダ５６０は、オーディオバッファ５５０に保存されたオーディオデータを一定の単位で受け取ってオーディオデコーディングを行い、オーディオプロセッサ５７０は、デコードされたオーディオデータに対して後処理作業を行うことができる。
【０２５５】
同期化部５４０は、ビデオプロセッサ５３０とオーディオプロセッサ５７０とが出力するデータに対してそれぞれ同一画面で表示されるように復号された２種類のデータを同期させて出力することができる。
【０２５６】
チャネルマネージャ４３０は、シグナリング情報復号部４４０が復号したシグナリング情報に基づいてチャネル変換に必要な情報を制御することができる。例えば、ユーザがチャネル変換信号を伝送すると、それを受信し、チャネルを変換するように制御することができる。または、チャネルマネージャ４３０は、シグナリング情報を用いて特定チャネルの受信が可能か否かを判断したり、もしくはチャネルリスト（目録）（list）を生成し、チャネルに関連した作業を行うことができる。
【０２５７】
図１９は、本発明の一実施例に係る信号受信方法のフローチャートである。
【０２５８】
信号受信装置は、多重化された放送信号に含まれたＵＨＤビデオデータ、およびＵＨＤビデオデータに基づくＵＨＤ放送サービスをシグナリングするシグナリング情報を受信することができる（Ｓ２１０）。信号受信装置は、暗号化されていないデジタルケーブルチャネルを受信可能なクリアカムチューナを用いてストリームを受信することができる。
【０２５９】
信号受信装置は、ＵＨＤビデオデータおよびシグナリング情報をそれぞれ逆多重化することができる（Ｓ２２０）。
【０２６０】
信号受信装置は、逆多重化したシグナリング情報をデコードすることができる（Ｓ２３０）。シグナリング情報は、クリアカム（clear QAM）ＵＨＤサービスに関する識別情報を含むことができる。信号受信装置は、ＣＶＣＴに含まれたディスクリプタを用いて、ＵＨＤサービスに関する詳細情報を識別したり、ＴＶＣＴに含まれたＵＨＤサービスに関する詳細情報を識別することができる。
【０２６１】
ＣＶＣＴに含まれたディスクリプタを用いてＵＨＤサービスに関する詳細情報を識別する方法は、図３〜図８で説明した。そして、ＴＶＣＴに含まれたＵＨＤサービスに関する詳細情報を識別する方法は、図３、図６、図８〜図１０、図１２、図１３で説明した。
【０２６２】
また、信号受信装置は、ＤＣＣＴを用いて、ビデオデータに含まれたＵＨＤビデオサービスを識別し、ＵＨＤチャネルに自動的に変更することができる。ＤＣＣＴを用いてＵＨＤチャネルに自動変更されるようにＵＨＤ詳細情報をシグナリングする方法は、図１４〜図１７で説明した。なお、信号受信装置は、ＨＤもしくはＳＤチャネルを受信してサービスを提供する場合、受信されるチャネルに対応するＵＨＤチャネルがあれば、ユーザの選択によってＵＨＤチャネルに移動してＵＨＤサービスを行うことができる。ＵＨＤサービスのためにＨＤもしくはＳＤチャネルに含まれて伝送される情報をシグナリングする方法は、図７、図１０、図１１で説明した。ＵＨＤサービスのためのシグナリング情報は、信号送信装置においても同様に適用可能である。
【０２６３】
信号受信装置は、デコードしたシグナリング情報に基づいて、逆多重化されたＵＨＤビデオデータをデコードすることができる（Ｓ２４０）。
【０２６４】
図２０は、本発明の一実施例に係る信号送信装置を示すブロック図である。
【０２６５】
ビデオエンコーダ６１０は、ＵＨＤ（Ultra High Definition）ビデオデータをエンコードする。例えば、エンコードされたＵＨＤビデオデータは、４Ｋ、８Ｋ、１６Ｋなどの解像度を有することができる。
【０２６６】
シグナリング情報符号化部（エンコーダ）（encoder）６２０は、エンコードされたＵＨＤビデオデータに基づくＵＨＤ放送サービスをシグナリングするシグナリング情報をエンコードする。ＵＨＤサービスのためのシグナリング情報は、ＣＶＣＴに含まれるディスクリプタを用いて伝送したり、ＴＶＣＴに含めて伝送することができる。ＵＨＤサービスに関する詳細情報をＣＶＣＴに含めてシグナリングする方法は、図３〜図８で説明した。そして、ＵＨＤサービスに関する詳細情報をＴＶＣＴに含めてシグナリングする方法は、図３、図６、図８〜１０、図１２、図１３で説明した。
【０２６７】
また、信号受信装置がビデオデータに含まれたＵＨＤビデオサービスを識別してＵＨＤチャネルに自動変更できるように、信号送信装置は、チャネル自動変更情報をＤＣＣＴを用いてシグナリングすることができる。信号受信装置がＵＨＤチャネルに自動変更できるように信号送信装置がＵＨＤ詳細情報をシグナリングする方法は、図１４〜図１７で説明した。なお、信号送信装置はＨＤもしくはＳＤチャネルでビデオデータを伝送する時、伝送されるビデオチャネルもしくはデータに対応するＵＨＤチャネルもしくはデータに関する情報を、ＨＤもしくはＳＤチャネルを用いて伝送することができる。信号送信装置がＵＨＤサービスに関する情報をシグナリングする方法は、図７、図１０、図１１で説明した。
【０２６８】
多重化部６３０は、エンコードされたビデオデータおよびシグナリング情報を多重化する。シグナリング情報は、クリアカム（clear QAM）ＵＨＤサービスに関する識別情報を含む。
【０２６９】
通信部６４０は、多重化されたデータを伝送する。
【０２７０】
図２１は、本発明の一実施例に係る信号受信装置を示すブロック図である。
【０２７１】
通信部７１０は、多重化された放送信号に含まれたＵＨＤビデオデータおよび該ＵＨＤビデオデータに基づくＵＨＤ放送サービスをシグナリングするシグナリング情報を受信することができる。通信部７１０は、非暗号化デジタルケーブルチャネルを受信できるクリアカムチューナを含むことができる。すなわち、通信部７１０は、図１８に示すクリアカムチューナ４１０を含むことができる。
【０２７２】
逆多重化部７２０は、ＵＨＤビデオデータおよびシグナリング情報をそれぞれ逆多重化することができる。逆多重化部７２０は、図１８に示す逆多重化部４２０に対応してもよい。
【０２７３】
シグナリング情報復号部７３０は、逆多重化したシグナリング情報をデコードすることができる。シグナリング情報復号部７３０は、図１８に示すシグナリング情報復号部４４０に対応してもよい。シグナリング情報は、ＣＶＣＴもしくはＴＶＣＴを含むことができる。ＣＶＣＴ内にＡＴＳＣ＿ｐｒｉｖａｔｅ＿ｉｎｆｏｒｍａｔｉｏｎ＿ｄｅｓｃｒｉｐｔｏｒが含まれる場合、ＵＨＤチャネル、ＨＤチャネルおよびＳＤチャネルを区別して重複受信されないようにすることができる。すなわち、信号受信装置は、ＡＴＳＣ＿ｐｒｉｖａｔｅ＿ｉｎｆｏｒｍａｔｉｏｎ＿ｄｅｓｃｒｉｐｔｏｒに含まれるｃｈａｎｎｅｌ ｍｏｄｅおよびｒｅｓｏｌｕｔｉｏｎフィールドを用いてＵＨＤチャネルを受信することができる。
【０２７４】
ＣＶＣＴ内にＡＴＳＣ＿ｐｒｉｖａｔｅ＿ｉｎｆｏｒｍａｔｉｏｎ＿ｄｅｓｃｒｉｐｔｏｒが含まれていない場合、ＴＶＣＴに含まれる情報を用いて、ＵＨＤ、ＨＤおよびＳＤチャネルを区別して重複受信されないようにすることができる。すなわち、信号受信装置は、ｓｅｒｖｉｃｅ＿ｔｙｐｅを用いて、当該チャネルでＵＨＤ放送サービスが行われるという情報を受信することができる。
【０２７５】
また、信号受信装置は、ＤＣＣＴを用いて、既存のサービス（ＳＤ、ＨＤなど）に対応するＵＨＤサービスに自動転換されてもよいという情報を受信することができる。
【０２７６】
ビデオデコーダ７４０は、デコードしたシグナリング情報に基づいて、逆多重化されたＵＨＤビデオデータをデコードする。ビデオデコーダ７４０は、図１８のリソース復号部５００に含まれ、図１８のビデオデコーダ５２０に対応してもよい。
【産業上の利用可能性】
【０２７７】
本願発明は、放送およびビデオ信号処理分野で使用可能であり、反復可能であるという産業上の利用可能性がある。
【図１】
2016513437.tif 000003
【図２】
2016513437.tif 000004
【図３】
2016513437.tif 000005
【図４】
2016513437.tif 000006
【図５】
2016513437.tif 000007
【図６】
2016513437.tif 000008
【図７】
2016513437.tif 000009
【図８】
2016513437.tif 000010
【図９】
2016513437.tif 000011
【図１０】
2016513437.tif 000012
【図１１】
2016513437.tif 000013
【図１２】
2016513437.tif 000014
【図１３】
2016513437.tif 000015
【図１４】
2016513437.tif 000016
【図１５】
2016513437.tif 000017
【図１６】
2016513437.tif 000018
【図１７】
2016513437.tif 000019
【図１８】
2016513437.tif 000020
【図１９】
2016513437.tif 000021
【図２０】
2016513437.tif 000022
【図２１】
2016513437.tif 000023
【国際調査報告】
2016513437.tif 000024
2016513437.tif 000025
2016513437.tif 000026
2016513437.tif 000027